(57)【特許請求の範囲】
【請求項１】
メディアデータの処理方法であって、
ユーザクライアントが第１サービスクライアントとのサービスオペレーションを行うと判定された場合、クラウドサーバは、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成することと、
前記第１サービスクライアントが前記サービスオペレーションビデオデータに基づいて前記ユーザクライアントとのサービスオペレーションを完了するように、前記クラウドサーバは、前記サービスオペレーションビデオデータを前記ユーザクライアントと前記第１サービスクライアントに送信することと、
前記クラウドサーバは、前記第１サービスクライアントから前記サービスオペレーションの処理結果を取得することと、
前記処理結果がオペレーションが有効になることを示す場合、前記クラウドサーバは、前記サービスオペレーションビデオデータを記憶して記憶情報を生成することと、
前記クラウドサーバは、第２サービスクライアントから送信された、前記記憶情報を携帯しているアクセス要求を受信することと、
前記第２サービスクライアントが前記サービスオペレーションビデオデータに基づいて前記サービスオペレーションに対する処理を完了するように、前記クラウドサーバは、前記アクセス要求に応答して、前記記憶情報に基づいて前記サービスオペレーションビデオデータを取得して前記第２サービスクライアントに返信することと、を含むことを特徴とするメディアデータの処理方法。
【請求項２】
前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成することは、
第１セキュリティ伝送チャネルを介して、前記ユーザクライアントから送信された第１暗号化ビデオデータストリームを取得することと、
第２セキュリティ伝送チャネルを介して、前記第１サービスクライアントから送信された第２暗号化ビデオデータストリームを取得することと、
取得された前記第１暗号化ビデオデータストリームを復号化し、復号化された第１ビデオデータストリームを得ることと、
取得された前記第２暗号化ビデオデータストリームを復号化し、復号化された第２ビデオデータストリームを得ることと、
前記復号化された第１ビデオデータストリームと前記復号化された第２ビデオデータストリームを混合してサービスオペレーションビデオデータストリームを生成することと、を含むことを特徴とする請求項１に記載の処理方法。
【請求項３】
前記ユーザクライアントから送信された前記第１暗号化ビデオデータストリームが到着したことが検出された場合、前記第１暗号化ビデオデータストリームに対してデータストリーム検出を行うことと、
前記ユーザクライアントから送信された第１暗号化ビデオデータストリームを取得するステップを、前記第１暗号化ビデオデータストリームがデータストリーム検出に合格した後に実行することと、をさらに含むことを特徴とする請求項２に記載の処理方法。
【請求項４】
前記サービスオペレーションビデオデータを前記ユーザクライアントと前記第１サービスクライアントに送信することは、
前記サービスオペレーションビデオデータストリームを暗号化することと、
前記第１セキュリティ伝送チャネルを介して、暗号化された前記サービスオペレーションビデオデータストリームを前記ユーザクライアントに送信することと、
前記第２セキュリティ伝送チャネルを介して、暗号化された前記サービスオペレーションビデオデータストリームを前記第１サービスクライアントに送信することと、を含むことを特徴とする請求項２に記載の処理方法。
【請求項５】
前記サービスオペレーションビデオデータを記憶することは、
前記サービスオペレーションビデオデータをビデオファイルとして記憶することと、
前記ビデオファイルを少なくとも２つのビデオデータセグメントに分割し、前記ビデオデータセグメントに基づいて、対応するビデオデータセグメントインデックス情報を生成し、前記ビデオデータセグメントを分散的に少なくとも２つの記憶ノードに記憶することと、
前記ビデオデータセグメントインデックス情報を記憶し、前記ビデオデータセグメントインデックス情報の記憶情報を決定することと、を含むことを特徴とする請求項１に記載の処理方法。
【請求項６】
前記記憶情報に基づいて、前記サービスオペレーションビデオデータを取得して前記第２サービスクライアントに返信することは、
前記記憶情報に基づいて、前記ビデオデータセグメントインデックス情報を取得することと、
前記ビデオデータセグメントインデックス情報に基づいて、前記ビデオデータセグメントを集約して前記サービスオペレーションビデオデータを生成することと、
前記サービスオペレーションビデオデータのリンクアドレスを生成することと、
前記第２サービスクライアントが前記リンクアドレスに基づいて前記サービスオペレーションビデオデータを取得するように、前記リンクアドレスを前記第２サービスクライアントに送信することと、を含むことを特徴とする請求項５に記載の処理方法。
【請求項７】
前記サービスオペレーションビデオデータを記憶する前に、前記第１サービスクライアントからユーザ情報を取得することと、
前記サービスオペレーションビデオデータの、前記第１サービスクライアントのユーザ情報を携帯している記憶要求が受信された場合、前記第１サービスクライアントのユーザ情報を検証することと、
前記第１サービスクライアントのユーザ情報が検証に合格した後、前記サービスオペレーションビデオデータを記憶し、前記サービスオペレーションビデオデータの記憶情報を決定することと、をさらに含み、
ここで、前記第１サービスクライアントのユーザ情報には、前記第１サービスクライアントが所属するサービスプロバイダのサービスプロバイダ識別子と、第１サービスクライアントのユーザのアイデンティティ検証情報とが含まれる、ことを特徴とする請求項１に記載の処理方法。
【請求項８】
前記アクセス要求には、第２サービスクライアントのユーザ情報がさらに携帯され、
前記処理方法は、
前記アクセス要求に応答して、前記第２サービスクライアントのユーザ情報を検証することと、
前記記憶情報に基づいて前記サービスオペレーションビデオデータを取得して前記第２サービスクライアントに返信するステップを、前記第２サービスクライアントのユーザ情報が検証に合格した後に実行することと、をさらに含み、
ここで、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる、ことを特徴とする請求項１に記載の処理方法。
【請求項９】
前記第１サービスクライアントが前記記憶情報を前記第２サービスクライアントが取得するためにサービスプラットフォームに保存するように、前記サービスオペレーションビデオデータの前記記憶情報を前記第１サービスクライアントに送信すること、をさらに含むことを特徴とする請求項１に記載の処理方法。
【請求項１０】
ユーザクライアントから送信されたユーザ認可情報を受信することと、
前記ユーザ認可情報に基づいて、前記ユーザクライアントのユーザログイン情報を取得し、前記第１サービスクライアントに前記ユーザクライアントのユーザログイン情報を送信することと、をさらに含み、
ここで、前記第１サービスクライアントから送信された前記ユーザクライアントのユーザログイン情報が受信された場合、前記ユーザクライアントが前記第１サービスクライアントとのサービスオペレーションを行うと判定される、ことを特徴とする請求項１に記載の処理方法。
【請求項１１】
メモリとプロセッサとを含むコンピューティングデバイスであって、前記メモリにコンピュータ読み取り可能な命令が記憶され、前記プロセッサが前記メモリにおけるコンピュータ読み取り可能な命令を実行し、請求項１〜１０のいずれか１項に記載の処理方法を実行することを特徴とするコンピューティングデバイス。
【請求項１２】
コンピューティングデバイスに、請求項１〜１０のいずれか１項に記載の処理方法を実行させるための命令を含む、１つまたは複数のプログラムを記憶したことを特徴とする、コンピュータで読み取り可能な記憶媒体。
【発明の詳細な説明】
【技術分野】
【０００１】
［関連出願への相互参照］
本願は、２０１７年１２月０４日に中国特許局に提出された、出願番号が２０１７１１２５８２３９．９であり、出願名称が「メディアデータに関する処理方法、装置及び関連デバイス」である中国特許出願の優先権を主張し、その全ての内容が、参照することにより本願に組み込まれる。
【０００２】
［技術分野］
本願は、情報技術の分野に関し、特に、メディアデータに関する処理方法、コンピューティングデバイスおよび記憶媒体に関する。
【背景技術】
【０００３】
情報技術の発展および情報化時代の到来に伴い、情報は主要な生産性要因として、人々の生活に大きな利便性をもたらし、これにより、人々は外出する必要がなく、例えばオンラインショッピング、オンラインエンターテイメント、オンライン支払い、さらにはオンライン認証などのような様々なアクティビティを、インターネットを介して行うことができる。しかしながら、人々がオンラインでアクティビティを行う場合、インターネットからの悪意のある攻撃を受けることがあり、人々のプライベート情報が漏洩と盗取され、人々の財産の安全が脅かされてしまい、特に、オンライン認証アクティビティやオンライン認証アクティビティを有するサービスは、プライベートデータのセキュリティを全面的に維持することができず、かつ、オンライン認証アクティビティの現在の認証方式は、認証アクティビティに必要な高い要求をまだ満たすことができない。
【発明の概要】
【０００４】
本発明の実施例はメディアデータの処理方法を提供し、前記方法は、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成することと、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信することと、前記第１サービスクライアントから前記サービスオペレーションの処理結果を取得することと、前記処理結果がオペレーションが有効になることを示す場合、前記サービスオペレーションビデオデータを記憶して記憶情報を生成することと、第２サービスクライアントから送信された、前記記憶情報を携帯しているアクセス要求を受信することと、前記第２サービスクライアントが前記サービスオペレーションビデオデータに基づいて前記サービスオペレーションに対する処理を完了するように、前記アクセス要求に応答して、前記記憶情報に基づいて前記サービスオペレーションビデオデータを取得して前記第２サービスクライアントに返信することとを含む。
【０００５】
いくつかの実施例では、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成することは、前記第１セキュリティ伝送チャネルを介して、前記ユーザクライアントから送信された第１暗号化ビデオデータストリームを取得することと、前記第２セキュリティ伝送チャネルを介して、前記第１サービスクライアントから送信された第２暗号化ビデオデータストリームを取得することと、取得された前記第１暗号化ビデオデータストリームを復号化し、復号化された第１ビデオデータストリームを得ることと、取得された前記第２暗号化ビデオデータストリームを復号化し、復号化された第２ビデオデータストリームを得ることと、前記復号化された第１ビデオデータストリームと前記復号化された第２ビデオデータストリームを混合してサービスオペレーションビデオデータストリームを生成することとを含む。
【０００６】
いくつかの実施例では、前記方法は、前記ユーザクライアントから送信された前記第１暗号化ビデオデータストリームが到着したことが検出された場合、前記第１暗号化ビデオデータストリームに対してデータストリーム検出を行うことと、前記ユーザクライアントから送信された第１暗号化ビデオデータストリームを取得するステップを、前記第１暗号化ビデオデータストリームがデータストリーム検出に合格した後に実行することとをさらに含む。
【０００７】
いくつかの実施例では、前記サービスオペレーションビデオデータを前記ユーザクライアントと前記第１サービスクライアントに送信することは、前記サービスオペレーションビデオデータストリームを暗号化することと、前記第１セキュリティ伝送チャネルを介して、暗号化された前記サービスオペレーションビデオデータストリームを前記ユーザクライアントに送信することと、前記第２セキュリティ伝送チャネルを介して、暗号化された前記サービスオペレーションビデオデータストリームを前記第１サービスクライアントに送信することとを含む。
【０００８】
いくつかの実施例では、前記サービスオペレーションビデオデータを記憶することは、前記サービスオペレーションビデオデータをビデオファイルとして記憶することと、前記ビデオファイルを少なくとも２つのビデオデータセグメントに分割し、前記ビデオデータセグメントに基づいて、対応するビデオデータセグメントインデックス情報を生成し、前記ビデオデータセグメントを分散的に少なくとも２つの記憶ノードに記憶することと、前記ビデオデータセグメントインデックス情報を記憶し、前記ビデオデータセグメントインデックス情報の記憶情報を決定することとを含む。
【０００９】
いくつかの実施例では、前記記憶情報に基づいて、前記サービスオペレーションビデオデータを取得して前記第２サービスクライアントに返信することは、前記記憶情報に基づいて、前記ビデオデータセグメントインデックス情報を取得することと、前記ビデオデータセグメントインデックス情報に基づいて、前記ビデオデータセグメントを集約して前記サービスオペレーションビデオデータを生成することと、前記サービスオペレーションビデオデータのリンクアドレスを生成することと、前記第２サービスクライアントが前記リンクアドレスに基づいて前記サービスオペレーションビデオデータを取得するように、前記リンクアドレスを前記第２サービスクライアントに送信することとを含む。
【００１０】
いくつかの実施例では、前記方法は、前記サービスオペレーションビデオデータを記憶する前に、前記第１サービスクライアントからユーザ情報を取得することと、前記サービスオペレーションビデオデータの、前記第１サービスクライアントのユーザ情報を携帯している記憶要求を受信する場合、前記第１サービスクライアントのユーザ情報を検証することと、前記第１サービスクライアントのユーザ情報が検証に合格した後、前記サービスオペレーションビデオデータを記憶し、前記サービスオペレーションビデオデータの記憶情報を決定することとをさらに含み、ここで、前記第１サービスクライアントのユーザ情報には、前記第１サービスクライアントが所属するサービスプロバイダのサービスプロバイダ識別子と、第１サービスクライアントのユーザのアイデンティティ検証情報とが含まれる。
【００１１】
いくつかの実施例では、前記アクセス要求には、第２サービスクライアントのユーザ情報がさらに携帯され、前記方法は、前記アクセス要求に応答して、前記第２サービスクライアントのユーザ情報を検証することと、前記記憶情報に基づいて前記サービスオペレーションビデオデータを取得して前記第２サービスクライアントに返信するステップを、前記第２サービスクライアントのユーザ情報が検証に合格した後に実行することとをさらに含み、ここで、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる。
【００１２】
いくつかの実施例では、前記方法は、サービスプロバイダのために、サービスプロバイダ識別子、前記第１サービスクライアントのユーザ識別子、および前記第１サービスクライアントのユーザのアイデンティティ検証情報を作成することと、前記第１サービスクライアントのユーザログイン情報が取得された場合、前記サービスプロバイダ識別子と第１サービスクライアントのユーザのアイデンティティ検証情報を前記第１サービスクライアントに送信することとをさらに含み、ここで、前記第１サービスクライアントからユーザ情報を取得するステップを、前記サービスプロバイダ識別子と第１サービスクライアントのユーザのアイデンティティ検証情報が前記第１サービスクライアントに送信された後に実行する。
【００１３】
いくつかの実施例では、前記方法は、サービスプロバイダのために、サービスプロバイダ識別子、前記第２サービスクライアントのユーザ識別子、および前記第２サービスクライアントのユーザのアイデンティティ検証情報を作成することと、前記第２サービスクライアントのユーザログイン情報が取得された、前記サービスプロバイダ識別子と第２サービスクライアントのユーザのアイデンティティ検証情報を前記第２サービスクライアントに送信することとをさらに含み、ここで、前記第２サービスクライアントから送信された、前記記憶情報を携帯しているアクセス要求を受信するステップを、前記サービスプロバイダ識別子と第２サービスクライアントのユーザのアイデンティティ検証情報が前記第２サービスクライアントに送信された後に実行する。
【００１４】
いくつかの実施例では、前記方法は、前記記憶情報に基づいて前記サービスオペレーションビデオデータを取得して前記第２サービスクライアントに返信した後、前記ビデオデータセグメントインデックス情報に基づいて生成された記録および生成された前記リンクアドレスを削除することをさらに含む。
【００１５】
いくつかの実施例では、前記方法は、前記サービスオペレーションビデオデータのライフサイクルが終了した場合、前記ビデオデータセグメントインデックス情報に基づいて生成された記録および生成された前記リンクアドレスを削除することをさらに含む。
【００１６】
いくつかの実施例では、前記方法は、前記第１サービスクライアントが前記記憶情報を前記第２サービスクライアントが取得するためにサービスプラットフォームに保存するように、前記サービスオペレーションビデオデータの前記記憶情報を送信することをさらに含む。
【００１７】
いくつかの実施例では、前記方法は、前記ユーザクライアントから送信されたビデオ接続要求を受信することと、前記ビデオ接続要求に応答して、前記ユーザクライアントと前記第１サービスクライアントとの間のビデオ接続を確立することとをさらに含み、前記ビデオ接続が確立された後、前記ビデオ接続を介して前記第１ビデオデータと前記第２ビデオデータを取得する。
【００１８】
いくつかの実施例では、前記方法は、ユーザクライアントから送信されたユーザ認可情報を受信することと、前記ユーザ認可情報に基づいて、前記ユーザクライアントのユーザログイン情報を取得し、前記第１サービスクライアントに前記ユーザクライアントのユーザログイン情報を送信することとをさらに含み、ここで、前記第１サービスクライアントから送信された前記ユーザクライアントのユーザログイン情報が受信された場合、前記ユーザクライアントが前記第１サービスクライアントとのサービスオペレーションを行うと判定される。
【００１９】
本願の実施例は、ユーザクライアントに適用されるメディアデータ処理方法も提供し、前記方法は、クラウドサーバが第１ビデオデータとサービスクライアントから取得された第２ビデオデータとを合成してサービスオペレーションビデオデータを生成するように、前記第１ビデオデータを前記クラウドサーバに送信することと、前記ユーザクライアントが前記サービスオペレーションビデオデータに基づいて前記サービスクライアントとのサービスオペレーションを完了するように、前記クラウドサーバから送信された前記サービスオペレーションビデオデータを受信して提示することとを含む。
【００２０】
いくつかの実施例では、サービスプロバイダのプラットフォームから提供されたサービスオペレーションの入り口を提示し、前記サービスオペレーションの入り口への選択オペレーションに応答して、前記ユーザクライアントのユーザログイン情報を携帯しているサービスオペレーション要求を前記サービスクライアントに送信し、前記サービスクライアントが前記サービスオペレーション要求に応答して送信したビデオアップロード指示を受信し、ここで、前記クラウドサーバに前記第１ビデオデータを送信するステップを、前記ビデオアップロード指示が受信された場合に実行する。
【００２１】
いくつかの実施例では、クラウドサーバが認可情報に基づいて前記ユーザクライアントがログインするアプリケーションサーバから前記ユーザクライアントのユーザログイン情報を取得するように、受信されたログイン認可命令に応答して、前記認可情報を前記クラウドサーバに送信し、ここで、前記サービスクライアントに前記サービスオペレーション要求を送信するステップを、前記ログイン認可が完了した後に実行する。
【００２２】
いくつかの実施例では、前記サービスクライアントに取得要求を送信し、前記サービスクライアントが前記取得要求に応答して送信したサービスオペレーションの処理結果を受信する。
【００２３】
本願の実施例は、サービスクライアントに適用されるメディアデータ処理方法も提供し、前記方法は、第１ユーザがログインを行う際に、サービスオペレーションプロセスを実行することを含み、前記サービスオペレーションプロセスは、クラウドサーバが第１ビデオデータとユーザクライアントから取得された第２ビデオデータとを合成してサービスオペレーションビデオデータを生成するように、前記第１ビデオデータを前記クラウドサーバに送信することと、前記サービスクライアントが前記サービスオペレーションビデオデータに基づいて前記ユーザクライアントとのサービスオペレーションを完了するように、前記クラウドサーバから送信された前記サービスオペレーションビデオデータを受信して提示することと、前記サービスオペレーションの処理結果を決定し、前記クラウドサーバに前記処理結果を送信することとを含む。
【００２４】
いくつかの実施例では、前記サービスオペレーションプロセスは、前記ユーザクライアントから送信された、前記ユーザクライアントのユーザログイン情報を携帯しているサービスオペレーション要求を受信することと、前記サービスオペレーション要求に応答して、ビデオアップロード指示を前記ユーザクライアントに送信することとをさらに含む。
【００２５】
いくつかの実施例では、前記サービスオペレーションプロセスは、前記クラウドサーバから送信された前記サービスオペレーションビデオデータの記憶情報を受信し、前記記憶情報をサービスプラットフォームに保存することをさらに含む。
【００２６】
いくつかの実施例では、第２ユーザがログインを行う際に、サービスオペレーション監査プロセスを実行することを含み、前記サービスオペレーション監査プロセスは、前記サービスプラットフォームから前記記憶情報を取得し、前記記憶情報を携帯しているアクセス要求を前記クラウドサーバに送信することと、前記クラウドサーバが前記アクセス要求に応答して送信した前記サービスオペレーションビデオデータのリンクアドレスを受信することと、前記リンクアドレスに基づいて、前記サービスオペレーションビデオデータを取得して提示することと、前記サービスオペレーションビデオデータに対応するサービスオペレーションの監査結果を決定して前記サービスプラットフォームに保存することとを含む。
【００２７】
いくつかの実施例では、前記アクセス要求には、前記サービスクライアントのユーザ情報が携帯され、前記クラウドサーバが前記アクセス要求に応答して送信した前記サービスオペレーションビデオデータのリンクアドレスを受信するステップを、前記サービスクライアントのユーザ情報がクラウドサーバの検証に合格した後に実行し、ここで、前記サービスクライアントのユーザ情報には、サービスプロバイダのサービスプロバイダ識別子と、前記第２ユーザのアイデンティティ検証情報とが含まれる。
【００２８】
いくつかの実施例では、クラウドサーバが認可情報に基づいて前記サービスクライアントがログインするアプリケーションサーバから前記サービスクライアントのユーザログイン情報を取得するように、受信されたログイン認可命令に応答して、前記認可情報を前記クラウドサーバに送信し、ログイン認可が完了した後、クラウドサーバにサービスクライアントのユーザ情報の取得要求を送信し、および、前記クラウドサーバが前記取得要求に応答して送信したサービスクライアントのユーザ情報を受信し、ここで、サービスクライアントのユーザ情報には、サービスプロバイダのサービスプロバイダ識別子と、サービスクライアントのユーザのアイデンティティ検証情報とが含まれる。
【００２９】
本発明の実施例は、メディアデータの処理装置を提供し、前記装置は、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成する生成モジュールと、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信するビデオ送信モジュールと、前記第１サービスクライアントから前記サービスオペレーションの処理結果を取得する結果取得モジュールと、前記処理結果がオペレーションが有効になることを示す場合、前記サービスオペレーションビデオデータを記憶して記憶情報を生成し、前記第１サービスクライアントが前記サービスオペレーションビデオデータの前記記憶情報をサービスプラットフォームに保存するように、前記第１サービスクライアントに前記サービスオペレーションビデオデータの前記記憶情報を送信する情報記憶モジュールと、第２サービスクライアントから送信された、前記記憶情報を携帯しているアクセス要求を受信するアクセス要求受信モジュールと、前記第２サービスクライアントが前記サービスオペレーションビデオデータに基づいて前記サービスオペレーションに対する処理を完了するように、前記アクセス要求に応答して、前記記憶情報に基づいて前記サービスオペレーションビデオデータを取得して前記第２サービスクライアントに返信するビデオ取得モジュールとを含む。
【００３０】
いくつかの実施例では、前記処理装置は、前記ユーザクライアントから送信されたビデオ接続要求を受信する接続要求受信モジュールと、前記ビデオ接続要求に応答して、前記ユーザクライアントと前記第１サービスクライアントとの間のビデオ接続を確立する接続確立モジュールとをさらに含み、ここで、前記ビデオ接続が確立された後、前記ビデオ接続を介して前記第１ビデオデータと前記第２ビデオデータを取得する。
【００３１】
いくつかの実施例では、前記処理装置は、ユーザクライアントから送信されたユーザ認可情報を受信する情報受信モジュールと、前記ユーザ認可情報に基づいて、前記ユーザクライアントのユーザログイン情報を取得し、前記第１サービスクライアントに前記ユーザクライアントのユーザログイン情報を送信するログイン情報取得モジュールとをさらに含み、ここで、前記第１サービスクライアントから送信された前記ユーザクライアントのユーザログイン情報が受信された場合、生成モジュールは、前記ユーザクライアントが前記第１サービスクライアントとのサービスオペレーションを行うと判定する。
【００３２】
いくつかの実施例では、前記生成モジュールは、前記第１セキュリティ伝送チャネルを介して、前記ユーザクライアントから送信された第１暗号化ビデオデータストリームを取得する第１取得手段と、前記第２セキュリティ伝送チャネルを介して、前記第１サービスクライアントから送信された第２暗号化ビデオデータストリームを取得する第２取得手段と、取得された前記第１暗号化ビデオデータストリームを復号化し、復号化された第１ビデオデータストリームを取得する第１復号化手段と、取得された第２暗号化ビデオデータストリームを復号化し、復号化された第２ビデオデータストリームを取得す第２復号化手段と、前記復号化された第１ビデオデータストリームと前記復号化された第２ビデオデータストリームを混合してサービスオペレーションビデオデータストリームを生成する混合手段とを含む。
【００３３】
いくつかの実施例では、前記処理装置は、前記ユーザクライアントから送信された前記第１暗号化ビデオデータストリームが到着したことが検出された場合、前記第１暗号化ビデオデータストリームに対してデータストリーム検出を行う検出モジュールをさらに含み、ここで、前記第１暗号化ビデオデータストリームがデータストリーム検出に合格した後、前記生成モジュールにおける第１取得手段は、前記ユーザクライアントから送信された第１暗号化ビデオデータストリームを取得する。
【００３４】
いくつかの実施例では、前記ビデオ送信モジュールは、前記サービスオペレーションビデオデータストリームを暗号化する暗号化手段と、前記第１セキュリティ伝送チャネルを介して、暗号化された前記サービスオペレーションビデオデータストリームを前記ユーザクライアントに送信する第１送信手段と、前記第２セキュリティ伝送チャネルを介して、暗号化された前記サービスオペレーションビデオデータストリームを前記第１サービスクライアントに送信する第２送信手段とを含む。
【００３５】
いくつかの実施例では、前記処理装置は、前記サービスオペレーションビデオデータを記憶する前に、前記第１サービスクライアントからユーザ情報を取得するユーザ情報取得モジュールと、前記サービスオペレーションビデオデータの、前記第１サービスクライアントのユーザ情報を携帯している記憶要求が受信された場合、前記第１サービスクライアントのユーザ情報を検証する第１検証モジュールと、前記第１サービスクライアントのユーザ情報の検証が合格した後、前記サービスオペレーションビデオデータを記憶し、前記サービスオペレーションビデオデータの記憶情報を決定する決定モジュールとをさらに含み、ここで、前記第１サービスクライアントのユーザ情報には、前記第１サービスクライアントが所属するサービスプロバイダのサービスプロバイダ識別子と、第１サービスクライアントのユーザのアイデンティティ検証情報とが含まれる。
【００３６】
いくつかの実施例では、前記情報記憶モジュールは、前記サービスオペレーションビデオデータをビデオファイルとして記憶する記憶手段と、前記ビデオファイルを少なくとも２つのビデオデータセグメントに分割し、前記ビデオデータセグメントに基づいて、対応するビデオデータセグメントインデックス情報を生成し、前記ビデオデータセグメントを分散的に少なくとも２つの記憶ノードに記憶する分割手段と、前記ビデオデータセグメントインデックス情報を記憶し、前記ビデオデータセグメントインデックス情報の記憶情報を決定する決定手段とを含む。
【００３７】
いくつかの実施例では、前記ビデオ取得モジュールは、前記記憶情報に基づいて、前記ビデオデータセグメントインデックス情報を取得する取得手段と、前記ビデオデータセグメントインデックス情報に基づいて、前記ビデオデータセグメントを集約して前記サービスオペレーションビデオデータを生成する集約手段と、前記サービスオペレーションビデオデータのリンクアドレスを生成する生成手段と、前記第２サービスクライアントが前記リンクアドレスに基づいて前記サービスオペレーションビデオデータを取得するように、前記リンクアドレスを前記第２サービスクライアントに送信する送信手段とを含む。
【００３８】
いくつかの実施例では、前記アクセス要求には、前記第２サービスクライアントのユーザ情報がさらに携帯され、前記処理装置は、前記アクセス要求に応答して、前記第２サービスクライアントのユーザ情報を検証する第２検証モジュールをさらに含み、前記第２サービスクライアントのユーザ情報が検証に合格した後、ビデオ取得モジュールは、前記記憶情報に基づいて前記サービスオペレーションビデオデータを取得して前記第２サービスクライアントに返信し、ここで、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる。
【００３９】
いくつかの実施例では、前記処理装置は、サービスプロバイダのために、サービスプロバイダ識別子、前記第１サービスクライアントのユーザ識別子、および前記第１サービスクライアントのユーザのアイデンティティ検証情報を作成する第１作成モジュールと、前記第１サービスクライアントのユーザログイン情報が取得された場合、前記サービスプロバイダ識別子と第１サービスクライアントのユーザのアイデンティティ検証情報を前記第１サービスクライアントに送信する第１情報送信モジュールとをさらに含み、ここで、前記サービスプロバイダ識別子と第１サービスクライアントのユーザのアイデンティティ検証情報とが前記第１サービスクライアントに送信された後、前記ユーザ情報取得モジュールは、前記第１サービスクライアントからユーザ情報を取得する。
【００４０】
いくつかの実施例では、前記処理装置は、サービスプロバイダのために、サービスプロバイダ識別子、前記第２サービスクライアントのユーザ識別子、および前記第２サービスクライアントのユーザのアイデンティティ検証情報を作成する第２作成モジュールと、前記第２サービスクライアントのユーザログイン情報が取得された場合、前記サービスプロバイダ識別子と第２サービスクライアントのユーザのアイデンティティ検証情報を前記第２サービスクライアントに送信する第２情報送信モジュールとをさらに含み、ここで、前記サービスプロバイダ識別子と第２サービスクライアントのユーザのアイデンティティ検証情報とが前記第２サービスクライアントに送信された後、アクセス要求受信モジュールは、第２サービスクライアントから送信された、前記記憶情報を携帯しているアクセス要求を受信する。
【００４１】
いくつかの実施例では、前記処理装置は、前記記憶情報に基づいて前記サービスオペレーションビデオデータを取得して前記第２サービスクライアントに返信された後、前記ビデオデータセグメントインデックス情報に基づいて生成された記録および生成された前記リンクアドレスを削除する第１削除モジュールをさらに含む。
【００４２】
いくつかの実施例では、前記処理装置は、前記サービスオペレーションビデオデータのライフサイクルが終了した場合、前記ビデオデータセグメントインデックス情報に基づいて生成された記録および生成された前記リンクアドレスを削除する第２削除モジュールをさらに含む。
【００４３】
いくつかの実施例では、前記処理装置は、前記第１サービスクライアントが前記記憶情報を前記第２サービスクライアントが取得するためにサービスプラットフォームに保存するように、前記サービスオペレーションビデオデータの前記記憶情報を前記第１サービスクライアントに送信する第３情報送信モジュールをさらに含む。
【００４４】
本願の実施例は、ユーザクライアントに適用されるメディアデータ処理装置を提供し、前記処理装置は、クラウドサーバが第１ビデオデータとサービスクライアントから取得された第２ビデオデータを合成してサービスオペレーションビデオデータを生成するように、前記第１ビデオデータを前記クラウドサーバに送信するビデオ送信モジュールと、前記ユーザクライアントが前記サービスオペレーションビデオデータに基づいて前記サービスクライアントとのサービスオペレーションを完了するように、前記クラウドサーバから送信された前記サービスオペレーションビデオデータを受信して提示するビデオ受信モジュールとを含む。
【００４５】
いくつかの実施例では、前記処理装置は、サービスプロバイダのプラットフォームから提供されたサービスオペレーションの入り口を提示する提示モジュールと、前記サービスオペレーションの入り口への選択オペレーションに応答して、前記ユーザクライアントのユーザログイン情報を携帯しているサービスオペレーション要求を前記サービスクライアントに送信する応答モジュールと、前記サービスクライアントが前記サービスオペレーション要求に応答して送信したビデオアップロード指示を受信する指示受信モジュールとをさらに含み、ここで、前記ビデオアップロード指示が受信された場合、前記ビデオ送信モジュールは、クラウドサーバに前記第１ビデオデータを送信する。
【００４６】
いくつかの実施例では、前記処理装置は、クラウドサーバが認可情報に基づいて前記ユーザクライアントがログインするアプリケーションサーバから前記ユーザクライアントのユーザログイン情報を取得するように、受信されたログイン認可命令に応答して、前記認可情報を前記クラウドサーバに送信する情報送信モジュールをさらに含み、ここで、前記ログイン認可が完了した場合、前記応答モジュールは、前記サービスクライアントに前記サービスオペレーション要求を送信する。
【００４７】
いくつかの実施例では、前記処理装置は、前記サービスクライアントに取得要求を送信して、前記サービスクライアントが取得要求に応答して送信したサービスオペレーションの処理結果を受信する結果受信モジュールをさらに含む。
【００４８】
本願の実施例は、サービスクライアントに適用されるメディアデータ処理装置も提供し、前記処理装置は、第１ユーザがログインを行う際に、サービスオペレーションプロセスを実行し、前記処理装置は、クラウドサーバが第１ビデオデータとユーザクライアントから取得された第２ビデオデータを合成してサービスオペレーションビデオデータを生成するように、前記第１ビデオデータを前記クラウドサーバに送信するビデオ送信モジュールと、前記サービスクライアントが前記サービスオペレーションビデオデータに基づいて前記ユーザクライアントとのサービスオペレーションを完了するように、前記クラウドサーバから送信された前記サービスオペレーションビデオデータを受信して提示するビデオ提示モジュールと、前記サービスオペレーションの処理結果を決定し、前記クラウドサーバに前記処理結果を送信する結果決定モジュールとを含む。
【００４９】
いくつかの実施例では、前記処理装置は、前記ユーザクライアントから送信された、前記ユーザクライアントのユーザログイン情報を携帯しているサービスオペレーション要求を受信する要求受信モジュールと、前記サービスオペレーション要求に応答して、ビデオアップロード指示を前記ユーザクライアントに送信する指示送信モジュールとをさらに含む。
【００５０】
いくつかの実施例では、前記処理装置は、前記クラウドサーバから送信された前記サービスオペレーションビデオデータの記憶情報を受信し、前記記憶情報をサービスプラットフォームに保存する記憶情報受信モジュールをさらに含む。
【００５１】
いくつかの実施例では、前記処理装置は、第２ユーザがログインを行う際に、サービスオペレーション監査プロセスを実行し、前記処理装置は、前記サービスプラットフォームから前記記憶情報を取得し、前記記憶情報を携帯しているアクセス要求を前記クラウドサーバに送信する記憶情報送信モジュールと、前記クラウドサーバが前記アクセス要求に応答して送信した前記サービスオペレーションビデオデータのリンクアドレスを受信するアドレス受信モジュールと、前記リンクアドレスに基づいて、前記サービスオペレーションビデオデータを取得して提示するビデオ取得モジュールと、前記サービスオペレーションビデオデータに対応するサービスオペレーションの監査結果を決定して前記サービスプラットフォームに保存する結果保存モジュールとを含む。
【００５２】
いくつかの実施例では、前記アクセス要求には、前記サービスクライアントのユーザ情報が携帯され、前記アドレス受信モジュールは、前記クラウドサーバが前記アクセス要求に応答して送信した前記サービスオペレーションビデオデータのリンクアドレスを受信するステップを、前記サービスクライアントのユーザ情報がクラウドサーバの検証に合格した後に実行し、ここで、前記サービスクライアントのユーザ情報には、サービスプロバイダのサービスプロバイダ識別子と、前記第２ユーザのアイデンティティ検証情報とが含まれる。
【００５３】
いくつかの実施例では、前記処理装置は、クラウドサーバが認可情報に基づいて前記サービスクライアントがログインするアプリケーションサーバから前記サービスクライアントのユーザログイン情報を取得するように、受信されたログイン認可命令に応答して、前記認可情報を前記クラウドサーバに送信する認可情報送信モジュールと、ログイン認可が完了した場合、クラウドサーバにサービスクライアントのユーザ情報の取得要求を送信する要求送信モジュールと、前記クラウドサーバが前記取得要求に応答して送信したサービスクライアントのユーザ情報を受信するユーザ情報受信モジュールとをさらに含み、ここで、サービスクライアントのユーザ情報には、サービスプロバイダのサービスプロバイダ識別子と、サービスクライアントのユーザのアイデンティティ検証情報とが含まれる。
【００５４】
本願の実施例は、ストリーム混合サーバとクラウドストレージサーバとを含むメディアデータ処理システムも提供し、前記ストリーム混合サーバは、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成し、前記ストリーム混合サーバは、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信し、前記ストリーム混合サーバは、前記第１サービスクライアントから前記サービスオペレーションの処理結果を取得し、前記処理結果がオペレーションが有効になることを示す場合、前記クラウドストレージサーバに前記サービスオペレーションビデオデータの記憶要求を送信し、クラウドストレージサーバは、前記アクセス要求に応答して、前記サービスオペレーションビデオデータを記憶して記憶情報を生成し、前記記憶情報を前記ストリーム混合サーバに送信し、前記ストリーム混合サーバは、前記第１サービスクライアントに前記サービスオペレーションビデオデータの前記記憶情報を送信し、前記クラウドストレージサーバは、第２サービスクライアントから送信された、前記記憶情報を携帯しているアクセス要求を受信し、前記クラウドストレージサーバは、前記第２サービスクライアントが前記サービスオペレーションビデオデータに基づいて前記サービスオペレーションに対する処理を完成するように、前記アクセス要求に応答して前記記憶情報に基づいて前記サービスオペレーションビデオデータを取得して前記第２サービスクライアントに返信する。
【００５５】
いくつかの実施例では、前記クラウドストレージサーバは、ユーザクライアントから送信されたユーザ認可情報を受信し、前記クラウドストレージサーバは、前記ユーザ認可情報に基づいて、前記ユーザクライアントのユーザログイン情報を取得し、前記第１サービスクライアントに前記ユーザクライアントのユーザログイン情報を送信し、前記第１サービスクライアントから送信された前記ユーザクライアントのユーザログイン情報が受信された場合、ストリーム混合サーバは、前記ユーザクライアントが前記第１サービスクライアントとのサービスオペレーションを行うと判定する。
【００５６】
いくつかの実施例では、前記ストリーム混合サーバは、前記サービスオペレーションビデオデータを記憶する前に、前記第１サービスクライアントからユーザ情報を取得し、前記クラウドストレージサーバは、前記サービスオペレーションビデオデータの、前記第１サービスクライアントのユーザ情報を携帯している記憶要求が受信された場合、前記第１サービスクライアントのユーザ情報を検証し、前記クラウドストレージサーバは、前記第１サービスクライアントのユーザ情報が検証に合格した後、前記サービスオペレーションビデオデータを記憶し、前記サービスオペレーションビデオデータの記憶情報を決定し、ここで、前記第１サービスクライアントのユーザ情報には、前記第１サービスクライアントが所属するサービスプロバイダのサービスプロバイダ識別子と、第１サービスクライアントのユーザのアイデンティティ検証情報とが含まれる。
【００５７】
いくつかの実施例では、前記アクセス要求には、前記第２サービスクライアントのユーザ情報がさらに携帯され、前記クラウドストレージサーバは、前記アクセス要求に応答して、前記第２サービスクライアントのユーザ情報を検証し、前記クラウドストレージサーバは、前記第２サービスクライアントのユーザ情報が検証に合格した後、前記記憶情報に基づいて前記サービスオペレーションビデオデータを取得して前記第２サービスクライアントに返信することを実行し、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる。
【００５８】
いくつかの実施例では、前記処理システムは、管理制御サーバをさらに含み、前記管理制御サーバは、前記クラウドストレージサーバにおいて、サービスプロバイダのために、サービスプロバイダ識別子、前記第１サービスクライアントのユーザ識別子、および前記第１サービスクライアントのユーザのアイデンティティ検証情報を作成し、前記管理制御サーバは、前記クラウドストレージサーバから送信された前記サービスプロバイダ識別子、前記第１サービスクライアントのユーザ識別子、および前記第１サービスクライアントのユーザのアイデンティティ検証情報を受信し、前記クラウドストレージサーバは、前記第１サービスクライアントのユーザログイン情報を取得した場合、前記管理制御サーバに第１サービスクライアントのユーザログイン情報を取得したことを示すメッセージを送信し、前記管理制御サーバは、前記第１サービスクライアントのユーザログイン情報が取得されたことを示すメッセージを受信した場合、前記サービスプロバイダ識別子と第１サービスクライアントのユーザ情報を前記第１サービスクライアントに送信し、ここで、前記管理制御サーバは、前記第１サービスクライアントのユーザ情報を第１サービスクライアントに送信することを実行した後、前記ストリーム混合サーバは、前記第１サービスクライアントからユーザ情報を取得する。
【００５９】
いくつかの実施例では、前記管理制御サーバは、前記クラウドストレージサーバにおいて、サービスプロバイダのために、前記第２サービスクライアントのユーザ識別子、および前記第２サービスクライアントのユーザのアイデンティティ検証情報を作成し、前記管理制御サーバは、前記クラウドストレージサーバから送信された前記第２サービスクライアントのユーザ識別子、および前記第２サービスクライアントのユーザのアイデンティティ検証情報を受信し、前記クラウドストレージサーバは、前記第２サービスクライアントのユーザログイン情報を取得し合、前記管理制御サーバに第２サービスクライアントのユーザログイン情報を取得したことを示すメッセージを送信し、前記管理制御サーバは、前記第２サービスクライアントのユーザログイン情報が取得されたことを示すメッセージを受信した場合、前記サービスプロバイダ識別子と第２サービスクライアントのユーザのアイデンティティ検証情報を前記第２サービスクライアントに送信し、ここで、前記管理制御サーバは、前記サービスプロバイダ識別子と第２サービスクライアントのユーザのアイデンティティ検証情報を前記第２サービスクライアントに送信することを実行した後、前記クラウドストレージサーバは、前記第２サービスクライアントから送信された、前記記憶情報を携帯しているアクセス要求を受信することを実行する。
【００６０】
本願の実施例は、サーバも提供し、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成するビデオ合成モジュールと、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信するビデオ送信モジュールと、前記第１サービスクライアントから前記サービスオペレーションの処理結果を取得し、前記処理結果がオペレーションが有効になることを示す場合、クラウドストレージサーバに前記サービスオペレーションビデオデータの記憶情報を送信する記憶情報モジュールと、前記クラウドストレージサーバが前記記憶要求に応答して送信した前記記憶情報を受信する情報受信モジュールと、前記第２サービスクライアントが前記記憶情報に基づいてサービスオペレーションビデオデータを取得するように、前記サービスオペレーションビデオデータの前記記憶情報を前記第１サービスクライアントに送信する情報送信モジュールとを含む。
【００６１】
また、本願発明の実施例は、サーバも提供し、前記ストリーム混合サーバから送信された記憶要求に応答して、前記サービスオペレーションビデオデータを記憶して記憶情報を生成し、前記記憶情報を前記ストリーム混合サーバに送信する情報記憶モジュールと、サービスクライアントから送信された、前記記憶情報を携帯しているアクセス要求を受信する要求送信モジュールと、前記サービスクライアントが前記サービスオペレーションビデオデータに基づいて前記サービスオペレーションに対する処理を完了するように、前記アクセス要求に応じて、前記記憶情報に基づいて前記サービスオペレーションビデオデータを取得して前記サービスクライアントに返信するビデオ取得モジュールとを含む。
【００６２】
また、本願の実施例は、メモリと、プロセッサと、前記メモリに記憶され、前記プロセッサで実行されるコンピュータプログラムとを含むコンピューティングデバイスをも提供し、前記プロセッサが前記コンピュータプログラムを実行する場合に、本願の実施例に係る方法が実現される。
【００６３】
本願発明の実施例は、命令を含む１つまたは複数のプログラムが記憶されている記憶媒体をも提供し、前記命令がコンピューティングデバイスによって実行される場合、前記コンピューティングデバイスに本願発明の実施例に係る方法を実行させる。
【図面の簡単な説明】
【００６４】
本発明の実施例または先行技術における技術的解決策をより明確に説明するために、以下では、実施例または先行技術の説明において必要とされる図面を簡単に説明する。明らかに、以下の説明における図面は、本発明のいくつかの実施例にすぎず、当業者にとっては、創造的な労働をしない前提で、これらの図面に基づいて他の図面を取得することができる。
【図１】本発明の一実施例の処理方法に適用されるシステムの構成概略図である。
【図２】本発明の一実施例の処理方法のインタラクションフローチャートである。
【図３】本発明の一実施例の処理方法のフローチャートである。
【図４】本発明の一実施例の処理方法のフローチャートである。
【図５】本発明の一実施例のクラウドサーバの構成概略図である。
【図６】本発明の一実施例におけるソーシャルプラットフォームで広告をプッシュする例である。
【図７】本発明の一実施例におけるソーシャルプラットフォームでログインを認可する例である。
【図８】本発明の一実施例におけるユーザクライアントが第１サービスクライアントとビデオ接続を行う例である。
【図９】本発明の一実施例におけるユーザクライアントが第１サービスクライアントとビデオインタラクションを行う例である。
【図１０】本発明の一実施例のサービスオペレーションプロセスを実行するフローチャートである。
【図１１】本発明の一実施例におけるサービスプラットフォームの記憶画面の例である。
【図１２】本発明の一実施例の処理装置の構成概略図である。
【図１３】本発明の一実施例の処理装置の構成概略図である。
【図１４】本発明の一実施例の処理装置の構成概略図である。
【図１５】本発明の一実施例の処理システムの構成概略図である。
【図１６】本発明の一実施例のサーバの構成概略図である。
【図１７】本発明の一実施例のサーバの構成概略図である。
【図１８】本発明の一実施例のコンピューティングデバイスのハードウェアの構成概略図である。
【発明を実施するための形態】
【００６５】
以下、本発明の実施例における図面を参照しながら、本発明の実施例における技術的解決策を明確かつ完全に説明する。明らかに、説明される実施例は、全ての実施例ではなく、本発明の一部の実施例にすぎない。本発明の実施例に基づいて、当業者が創造的な労働をしない前提で取得する他のすべての実施例は、本発明の保護範囲に属するものである。
【００６６】
簡潔かつ直観な説明のために、以下では、いくつかの代表的な実施例を説明することにより本発明の解決策を説明する。実施例における多くの詳細内容は、本発明の解決策への理解を助けるためにのみ使用されるものである。しかしながら、本発明の技術的解決策が実現される場合、これらの詳細内容に限定されていないということが明らかである。本発明の解決策を不必要に曖昧にすることを避けるために、いくつかの実施例が詳細に説明されず、フレームワークのみが与えられている。以下、「含む」は、「…含むがこれに限定されない」ことを意味し、「…に基づいて」は、「少なくとも…に基づいているが…、のみに限定されない」ことを意味する。以下では、１つの構成要素の数が特定されない場合、それはその構成要素が１つまたは複数であり得ること、または少なくとも１つとして理解され得ることを意味する。
【００６７】
ユーザがオンラインでアクティビティを行う場合、インターネットからの悪意のある攻撃を受けることがあるため、ユーザのプライベート情報が漏洩と盗取されてしまい、特に、オンライン認証アクティビティおよびオンライン認証アクティビティを有するサービスが、プライベートデータのセキュリティを全面的に維持することができない問題、および、オンライン認証アクティビティの現在の認証方式に必要な高い要求を満たすことができないという問題を解決するために、本願は、メディアデータの処理方法を提供し、該処理方法は、双方向ビデオに基づく証券の口座開設、双方向ビデオに基づく保険の保険引受、双方向ビデオに基づく銀行のセカンダリアカウントの口座開設、その他の検証待ちまたは認証待ちサービスオペレーションなどのアプリケーションシナリオに適用される。
【００６８】
図１は、本発明の実施例のメディアデータ処理方法に適用されるシステムの構成概略図を示す。このシステム１００は、端末デバイス１０１と、端末デバイス１０２と、クラウドサーバ１０３と、ネットワーク１０４とを少なくとも含み、ここで、クラウドサーバは、簡単で効率的で、安全で信頼性の高い、かつ、柔軟な処理能力を備えるコンピューティングサービス（ＥＣＳ：Ｅｌａｓｔｉｃ  Ｃｏｍｐｕｔｅ  Ｓｅｒｖｉｃｅ）であり、さまざまなタイプのインターネットユーザに向けて総合的なサービス能力を提供するサービスプラットフォームである。
【００６９】
上記端末デバイス１０１で動作するユーザクライアント（例えば、ソーシャルＡＰＰ）は、ネットワーク１０４を介して、端末デバイス１０２で動作する第１サービスクライアント（例えば、Ｗｅｂバージョンのソーシャルアプリケーション）と情報のやり取りを行うことができ、また、端末デバイス１０１で動作するユーザクライアント（例えば、ソーシャルＡＰＰ）は、ネットワーク１０４を介して、クラウドサーバ１０３と情報のやり取りを行うことができる。
【００７０】
上記端末デバイス１０１は、データ計算処理機能を有する端末デバイスであり、（通信モジュールがインストールされている）スマートフォン、パームトップコンピュータ、タブレットコンピュータなどを含むが、これらに限定されない。これらの端末デバイスのいずれかには、オペレーティングシステムがインストールされ、Ａｎｄｒｏｉｄオペレーティングシステム、Ｓｙｍｂｉａｎオペレーティングシステム、Ｗｉｎｄｏｗｓ  ｍｏｂｉｌｅオペレーティングシステム、アップルｉＰｈｏｎｅ  ＯＳオペレーティングシステムなどが含まれるが、これらに限定されない。
【００７１】
上記端末デバイス１０２で動作する第１サービスクライアント（例えば、Ｗｅｂバージョンのソーシャルアプリケーション）または第２サービスクライアント（例えば、Ｗｅｂバージョンのソーシャルアプリケーション）は、ネットワーク１０４を介して、クラウドサーバ１０３と情報のやりとりを行うことができる。
【００７２】
上記端末デバイス１０２は、データ計算処理機能を有する端末デバイスであり、（通信モジュールがインストールされている）ＰＣ機などを含むが、これらに限定されない。これらの端末デバイスのいずれかには、オペレーティングシステムがインストールされ、Ｗｉｎｄｏｗｓオペレーティングシステム、Ｌｉｎｕｘオペレーティングシステム、アップルオペレーティングシステムなどが含まれるが、これらに限定されない。
【００７３】
上記ネットワーク１０４は、有線ネットワークであってもよく、無線ネットワークであってもよい。
【００７４】
ユーザクライアント、第１サービスクライアント、及び第２サービスクライアントにおけるメディアデータ処理方法に対応するアプリケーションサーバソフトウェアは、クラウドサーバ１０３で動作することができる。
【００７５】
上記システム１００に基づいて、本願の実施例は、クラウドサーバ１０３におけるアプリケーションサーバソフトウェアに適用されるメディアデータ処理方法を提供する。ここで、クラウドサーバ１０３は、ストリーム混合サーバと、独立管理制御サーバと、オブジェクトストレージＣＯＳサーバとを少なくとも含み、以下、図２及び図３に示すようなものを参照しながら、方法２００について説明する。図２に示すように、この方法２００は、以下のステップを含む。
【００７６】
ステップ２０１で、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成する。
【００７７】
上記ユーザクライアントが第１サービスクライアントとのサービスオペレーションを行うと判定される方法は、以下の通りである。
【００７８】
いくつかの実施例では、クラウドサーバ１０３（オブジェクトストレージＣＯＳサーバ）は、ユーザクライアント（例えば、ソーシャルＡＰＰ）から送信されたユーザ認可情報（例えば、ユーザのＯｐｅｎ  ＩＤや認可トークンｔｏｋｅｎ）を受信し、前記ユーザ認可情報に基づいて、前記ユーザクライアントのユーザログイン情報（例えば、ユーザのソーシャルアカウントのニックネームやユーザのソーシャルアカウントのアバター情報など）を取得し、前記第１サービスクライアント（例えば、Ｗｅｂバージョンのソーシャルアプリケーション）に前記ユーザクライアントのユーザログイン情報を送信し、クラウドサーバ１０３（ストリーム混合サーバ）が前記第１サービスクライアントから送信された前記ユーザクライアントのユーザログイン情報を受信した場合、前記ユーザクライアントが前記第１サービスクライアントとのサービスオペレーション（例えば、双方向ビデオに基づく証券の口座開設）を行うと判定される。
【００７９】
ここで、前記ユーザ認可情報に基づいて、前記ユーザクライアントのユーザログイン情報を取得する方式は、以下の通りである。即ち、いくつかの実施例では、クラウドサーバ１０３（オブジェクトストレージＣＯＳサーバ）は、上記ユーザクライアントがログインするアプリケーションサーバ（例えば、ソーシャルＡＰＰがログインするソーシャルアプリケーションサーバ）に、ユーザ認可情報を携帯（搬送又は包含）しているユーザログイン情報取得要求を送信し、クラウドサーバ１０３（オブジェクトストレージＣＯＳサーバ）は、上記アプリケーションサーバがこの取得要求に応答して返信したユーザログイン情報を受信する。
【００８０】
説明すべきものとして、クラウドサーバ１０３（オブジェクトストレージＣＯＳサーバ）は、ユーザクライアントのユーザログイン情報を取得した後、このログイン情報を上記第１サービスクライアントに送信し、上記第１サービスクライアントは、このログイン情報に基づいて、ユーザクライアントのユーザに対応するファイル名を決定し、このファイル名が、最終のサービスオペレーションビデオデータのファイル名であり、クラウドサーバ１０３（ストリーム混合サーバ）がサービスオペレーションビデオデータを生成する前に、第１サービスクライアントは、クラウドサーバ１０３（ストリーム混合サーバ）が後続に検索及び記憶を行うように、ユーザログイン情報及びこのファイル名をクラウドサーバ１０３（ストリーム混合サーバ）に送信する。上述したユーザクライアントのユーザは、認証待ちユーザ（例えば、ソーシャルＡＰＰのユーザ）であってもよく、第１サービスクライアントのユーザは、認証待ちユーザを認証するユーザ（例えば、サービス側のエージェント）であってもよい。
【００８１】
いくつかの実施例では、クラウドサーバ１０３（ストリーム混合サーバ）は、前記ユーザクライアント（例えば、ソーシャルＡＰＰ）から送信されたビデオ接続要求を受信し（このビデオ接続要求には、ユーザクライアントのユーザ識別子（例えば、ユーザＩＤ）が携帯されている）、クラウドサーバ１０３（ストリーム混合サーバ）は、このビデオ接続要求を解析することにより、このユーザクライアントのユーザ識別子を取得し、クラウドサーバ１０３（ストリーム混合サーバ）は、前記ビデオ接続要求に応答して、このユーザクライアントのユーザ識別子に基づいて、対応する第１サービスクライアントを決定し、上記ユーザクライアントとこの第１サービスクライアントとの間のビデオ接続を確立し、前記ビデオ接続が確立された後、クラウドサーバ１０３（ストリーム混合サーバ）は、前記ビデオ接続を介して、第１ビデオデータ（すなわち、ユーザクライアントのユーザのローカルビデオデータ）を取得するステップ３０５と、第２ビデオデータ（すなわち、第１サービスクライアントのユーザのローカルビデオデータ）を取得するステップ３０６とを実行することにより、サービスオペレーションビデオデータを生成するステップ３０７を実行する。
【００８２】
ここで、ユーザクライアントのユーザのローカルビデオデータは、端末デバイス１０１に設置された撮像デバイス（例えば、フロントカメラ）によって取得され、ユーザクライアントを介してクラウドサーバ１０３（ストリーム混合サーバ）に送信されるものであり、第１サービスクライアントのユーザのローカルビデオデータは、端末デバイス１０２に設置された撮像デバイス（例えば、フロントカメラ）によって取得され、第１サービスクライアントを介してクラウドサーバ１０３（ストリーム混合サーバ）に送信されるものである。
【００８３】
また、上記ユーザＩＤは、ユーザアカウントのニックネームなどであってよい。上記ユーザクライアントとこの第１サービスクライアントとの間のビデオ接続が確立される場合、第１サービスクライアントが上記クラウドサーバ１０３（ストリーム混合サーバ）にユーザクライアントのユーザログイン情報を既に送信したため、クラウドサーバ１０３（ストリーム混合サーバ）は、ユーザクライアントと第１サービスクライアントとの間のビデオ接続を確立することができる。
【００８４】
いくつかの実施例では、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成するステップ２０１は、前記第１セキュリティ伝送チャネル（例えば、ＨＴＴＰＳセキュリティチャネル）を介して、クラウドサーバ１０３（ストリーム混合サーバ）が、前記ユーザクライアントから送信された第１暗号化ビデオデータストリームを取得することと、前記第２セキュリティ伝送チャネル（例えば、ＨＴＴＰＳセキュリティチャネル）を介して、クラウドサーバ１０３（ストリーム混合サーバ）が、前記第１サービスクライアントから送信された第２暗号化ビデオデータストリームを取得することと、クラウドサーバ１０３（ストリーム混合サーバ）が、取得された前記第１暗号化ビデオデータストリームを復号化し、復号化された第１ビデオデータストリームを取得することと、クラウドサーバ１０３（ストリーム混合サーバ）が、取得された前記第２暗号化ビデオデータストリームを復号化し、復号化された第２ビデオデータストリームを取得することと、前記復号化された第１ビデオデータストリームと前記復号化された第２ビデオデータストリームを混合（例えば、２つのビデオデータストリームを混合）してサービスオペレーションビデオデータストリームを生成することと、を含む。
【００８５】
ここで、第１ビデオ暗号化データストリームと第２暗号化ビデオデータストリームの暗号化方式には、例えばデータ暗号化標準（ＤＥＳ：Ｄａｔａ  Ｅｃｒｙｐｅｃｔｉｏｎ  Ｓｔａｎｄａｒｄ）や高級暗号化標準（ＡＥＳ：Ａｄｖａｎｃｅｄ  Ｅｃｒｙｐｔｉｏｎ  Ｓｔａｎｄａｒｄ）などのような対称暗号化が少なくとも含まれる。
【００８６】
また、上記ＨＴＴＰＳセキュリティチャネルが確立される前に、クラウドサーバ１０３（独立管理制御サーバ）は、ＳＳＬ証明書つまりＨＴＴＰＳ証明書を申請するステップ３０１をデジタル証明書発行機構に対して実行する必要があり、クラウドサーバ１０３（独立管理制御サーバ）は、ＳＳＬ証明書とサブドメイン名をクラウドサーバ１０３（オブジェクトストレージＣＯＳサーバ）にアップロードするステップ３０２を実行する。また、クラウドサーバ１０３は、申請して得られたこのＳＳＬ証明書を第１サービスクライアントを介してクラウドサーバ１０３（ストリーム混合サーバ）に送信し、クラウドサーバ１０３（ストリーム混合サーバ）によってこのＳＳＬ証明書がアップロードされた後、上記第１暗号化ビデオデータストリームを、確立されたＨＴＴＰＳセキュリティチャネルを介して伝送することができる。
【００８７】
いくつかの実施例では、クラウドサーバ１０３は、前記ユーザクライアントから送信された前記第１暗号化ビデオデータストリームが到着した（即ち、クラウドサーバ１０３のクラウドパブリックエリアに到着した）ことを検出した場合、前記第１暗号化ビデオデータストリームに対してデータストリーム検出を行い、前記ユーザクライアントから送信された第１暗号化ビデオデータストリームを取得するステップを、前記第１暗号化ビデオデータストリームがデータストリーム検出に合格した後に実行する。
【００８８】
図４は、クラウドサーバ１０３の構造概略図４００を示し、ここで、クラウドサーバ１０３において、クラウドパブリックエリア４０１、分離エリアプライベートクラウドＤＭＺ  ＶＰＣプライベートエリア４０２、及び物理的分離独立管理制御プライベートクラウドＶＰＣプライベートエリア４０３が外部から内部へ順次に含まれ、上記クラウドパブリックエリア４０１は、クラウドテナントによって共有され、このクラウドパブリックエリア４０１には、分散型ハードウェアファイアウォールＤＦＷ、グローバルサーバ負荷分散（ＧＳＬＢ：Ｇｌｏｂａｌ  Ｓｅｒｖｅｒ  Ｌｏａｄ  Ｂａｌａｎｃｅ）デバイス（異なる地域のサーバ間のトラフィック配分を担当する）、クラウド安全（ＤＤＯＳ攻撃、ＷＡＦ攻撃やＣＣ攻撃などへの防御を担当する）、クラウド監視（上記パブリックエリアへの監視管理を担当する）、セキュリティゲートウェイ（ＳＴＧＷ：Ｓｅｃｕｒｉｔｙ  Ｔｅｎｃｅｎｔ  ＧａｔｅＷａｙ）デバイス（マルチネットワーク統一アクセス、外部ネットワークのネットワーク要求の転送を実装するための７層ネットワークＨＴＴＰＳプロトコルのサポート、自動負荷分散のサポートを担当するシステム）が外部から内部へ順次に設けられ、ユーザクライアント（例えば、ソーシャルＡＰＰ）がＨＴＴＰＳプロトコル（またはＨＴＴＰＳセキュリティチャネル）を介して送信した上記第１暗号化ビデオデータストリームが、上記クラウドパブリックエリア４０１に到着した場合、それは、先にクラウドパブリックエリア４０１に設けられた分散型ハードウェアファイアウォールＤＦＷを通過した。分散型ハードウェアファイアウォールＤＦＷにおける防御メカニズムは、上記第１暗号化ビデオデータストリームに対して検出を行う。上記防御メカニズムは、フィルタリングメカニズム、ネットワークアクセス制御メカニズム、アプリケーションアクセス制御メカニズムなどを含むことができ、ここで、フィルタリングメカニズムとアプリケーションアクセス制御メカニズムが、上記第１暗号化ビデオデータストリームに対して、データソース情報に基づくフィルタリングを行って、ネットワークにおけるアクセス要求を制御することができ、また、ネットワークアクセス制御メカニズムが、クラウドサーバ１０３におけるデバイス（例えば、クラウドテナントの端末など）からネットワークにおけるターゲットデバイス（例えば、ターゲットサーバやターゲット端末）に送信されたアクセス要求を制御することができる。分散型ハードウェアファイアウォールＤＦＷは、従来の境界ファイアウォールの機能（例えば、外部ネットワークからの攻撃を防御すること）を実現できるだけでなく、さらに、クラウドサーバ１０３における内部ネットワークからの攻撃を防御することができ、これにより、クラウドサーバ１０３全体のセキュリティ性能を向上させることができる。上記第１暗号化ビデオデータストリームが分散型ハードウェアファイアウォールＤＦＷを通過した後、グローバルサーバ負荷分散（ＧＳＬＢ）デバイスを介して、１つのストリーム混合が選択される。このストリーム混合サーバの現在の利用可能性は比較的良好であり、この利用可能性が、ＣＰＵ占有、帯域幅占有などのデータによって決定されるものであり、さらに、この第１暗号化ビデオデータストリームとこのストリーム混合サーバとの間のリンク状況も比較的良好であるため、アクセス品質への確保を実現することができる。また、クラウド安全（ＤＤＯＳ攻撃、ＷＡＦ攻撃、ＣＣ攻撃などへの防御を担当する）とクラウド監視（上記パブリックエリアへの監視管理を担当する）は、ネットワークにおけるアクセス要求（例えば、第１暗号化ビデオデータストリーム）に対して検出および監視を実行することもでき、これにより、クラウドサーバのセキュリティに危害を及ぼすことを防止することができる。
【００８９】
このクラウドパブリックエリア４０１は、仮想ルーティング転送テーブルＶＲＦエリアを分割することで、クラウドテナントに対してネットワーク分離を行い、これにより、ＶＲＦ分離エリア４０４が形成される。現在クラウドサーバ１０３に認可情報を送信し、かつ、ログイン認可を完了したクライアント（例えば、ユーザクライアント）から送信された要求のみは、ＨＴＴＰＳプロトコル（またはＨＴＴＰＳセキュリティチャネル）を介して、要求パケットを分離エリアプライベートクラウドＤＭＺ  ＶＰＣプライベートエリア４０２に送信することができる。
【００９０】
説明すべきものとして、上記第１サービスクライアント（例えば、Ｗｅｂバージョンのソーシャルアプリケーション）は、第２暗号化ビデオデータストリームを送信する際に、また、ＨＴＴＰＳプロトコル（またはＨＴＴＰＳセキュリティチャネル）を介して、第２暗号化ビデオデータストリームを上記クラウドパブリックエリア４０１に送信し、かつ、このクラウドパブリックエリア４０１がこの第２暗号化ビデオデータストリームを検出する方式は、上記第１暗号化ビデオデータストリームの検出方式と同じである。
【００９１】
上記分離エリアプライベートクラウドＤＭＺ  ＶＰＣプライベートエリア４０２は、外部サービス用のプライベートエリアであり、仮想ファイアウォールＶＦＷ、ネットワークＷＥＢアクセス層、専用回線チャネルまたはＶＰＮチャネルゲートウェイ、ゲートウェイＴＧＷデバイス、ロジックアプリケーション層が外部から内部へ順次に設けられ、上記分離エリアプライベートクラウドＤＭＺ  ＶＰＣプライベートエリア４０２には、警報を行うためのアラームチャネルのメールゲートウェイとショートメッセージゲートウェイが設けられ、ここで、分離エリアプライベートクラウドＤＭＺ  ＶＰＣプライベートエリア４０２のロジックアプリケーション層に、ストリーム混合サーバがデプロイされ、このストリーム混合サーバが、クラウドサーバ１０３の上記ステップ２０１の実行を担当し、このストリーム混合サーバにアクセスする際に、ネットワークＷＥＢアクセス層を介してアクセスされ、上記ユーザクライアントまたは第１サービスクライアントは、ＨＴＴＰＳプロトコル（またはＨＴＴＰＳセキュリティチャネル）を介して、要求またはデータストリームをネットワークＷＥＢアクセス層に送信することにより、上記ストリーム混合サーバにアクセスする。
【００９２】
ここで、上記仮想ファイアウォールＶＦＷは、異なるテナントが使用するために、仮想ネットワークセキュリティポリシー（例えば、アクセス権限制御ポリシー、フィルタリングポリシーなど）に従って設定されるものである。これは、分離エリアプライベートクラウドＤＭＺ  ＶＰＣプライベートエリア４０２におけるネットワークセキュリティを保証しながら、ネットワークセキュリティ防護のコストを低減する。
【００９３】
また、第１サービスクライアントは、専用回線またはＶＰＮを介して、直接にクラウドサーバ１０３（独立管理制御サーバまたはオブジェクトストレージＣＯＳサーバ）にアクセスすることができ、この第１サービスクライアントは、上記専用回線チャネルまたはＶＰＮチャネルゲートウェイを介して、アクセス要求またはアクセスデータを物理的分離独立管理制御プライベートクラウドＶＰＣプライベートエリア４０３における独立管理制御サーバまたはオブジェクトストレージＣＯＳサーバに転送する。
【００９４】
上記第１暗号化ビデオデータストリームまたは第２暗号化ビデオデータストリームが、クラウドパブリックエリア４０１と分離エリアプライベートクラウドＤＭＺ  ＶＰＣプライベートエリア４０２に設けられた上記防御メカニズムのデータストリーム検出に合格した後、ストリーム混合サーバは、ネットワークＷＥＢアクセス層を介して、この第１暗号化ビデオデータを受信する。
【００９５】
上記物理的分離独立管理制御プライベートクラウドＶＰＣプライベートエリア４０３には、仮想ネットワークセキュリティポリシーに基づく仮想ファイアウォールＶＦＷ、独立管理制御サーバ（すなわち、独立管理制御システム）、およびオブジェクトストレージＣＯＳサーバ（即ち、オブジェクトストレージＣＯＳシステム）が外部から内部へ順次に設けられ、この物理的分離独立管理制御プライベートクラウドＶＰＣプライベートエリア４０３は、標準化して統合された物理的分離エリアであり、独立管理制御サーバを提供することにより、サービスプロバイダによって独立して運営・維持されるものである。この物理的分離エリア（例えば、マシンルーム）に入ると、サービスプロバイダの認可を得て、かつ、サービスプロバイダの担当者によってプライベートエントランスガードカードを使用して一緒に入る必要がある。サービスプロバイダによって認可されていない場合、またはこの物理的分離エリアに入るためにプライベートエントランスガードカードを使用しているサービス担当者が同伴していない場合、この物理的分離エリアは、上記物理的分離独立管理制御プライベートクラウドＶＰＣプライベートエリア４０３にさらに設けられたアラームチャネルのメールゲートウェイとショートメッセージゲートウェイによって、メールの形式またはショートメッセージの形式でサービスプロバイダの担当者へのアラートを行い、これにより、関係者が速やかに通知され、このアラートイベントが処理され、これによって、上記物理的分離エリアのセキュリティ性が保証される。
【００９６】
上記第１サービスクライアントは、専用回線チャネルまたはＶＰＮチャネルを介して、アクセス要求またはアクセスデータを上記専用回線チャネルまたはＶＰＮチャネルゲートウェイに送信し、さらに、この専用回線チャネルまたはＶＰＮチャネルゲートウェイを介して、アクセス要求またはアクセスデータをゲートウェイによって独立管理制御サーバまたはオブジェクトストレージＣＯＳサーバに送信し、上記オブジェクトストレージＣＯＳサーバは、独立管理制御サーバによってデプロイおよび運営維持され、このサービスプロバイダの分離エリアプライベートクラウドＤＭＺ  ＶＰＣプライベートエリア４０２のロジックアプリケーション層ＨＴＴＰアクセスのみを提供し、第１サービスクライアントが専用回線チャネルまたはＶＰＮチャネルゲートウェイを介してアクセス要求またはアクセスデータを物理的分離独立管理制御プライベートクラウドＶＰＣプライベートエリア４０３における独立管理制御サーバまたはオブジェクトストレージＣＯＳサーバに送信する場合、クラウドサーバ１０３に対して多重防護メカニズムを設定することにより、クラウドサーバ１０３におけるパブリックレンタルユーザのネットワークセキュリティ性が効果的に保証されることができる。
【００９７】
ステップ２０２で、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信する。
【００９８】
いくつかの実施例では、前記サービスオペレーションビデオデータを前記ユーザクライアントと前記第１サービスクライアントに送信することは、クラウドサーバ１０３（ストリーム混合サーバ）が、前記サービスオペレーションビデオデータストリームを暗号化することと、暗号化された前記サービスオペレーションビデオデータストリームを前記ユーザクライアントに送信するステップ３０８を前記第１セキュリティ伝送チャネル（ＨＴＴＰＳセキュリティチャネル）を介して実行し、暗号化された前記サービスオペレーションビデオデータストリームを前記第１サービスクライアントに送信するステップ３０８を前記第２セキュリティ伝送チャネル（ＨＴＴＰＳセキュリティチャネル）を介して実行することにより、ユーザクライアントまたは第１サービスクライアンが暗号化されたサービスオペレーションビデオデータを復号化して、各自のユーザが見るように提示（展示）することとを含む。
【００９９】
ステップ２０３で、前記第１サービスクライアントから前記サービスオペレーションの処理結果を取得する。
【０１００】
いくつかの実施例では、ユーザクライアントが第１サービスクライアントとビデオ接続を終了した場合（すなわち、双方向ビデオ認証処理オペレーションを完了した場合）、クラウドサーバ１０３（ストリーム混合サーバ）は、第１サービスクライアントに処理結果の取得要求を定時的に送信し、第１サービスクライアントは、この取得要求に応答して、クラウドサーバ１０３（ストリーム混合サーバ）に処理結果を送信し、この処理結果には、オペレーションが有効になる（認証処理が合格になる）こと、あるいは、オペレーションが有効になっていない（例えば、認証処理が不合格になる）ことが含まれる。
【０１０１】
ステップ２０４で、前記処理結果がオペレーションが有効になることを示す場合、前記サービスオペレーションビデオデータを記憶して記憶情報を生成する。
【０１０２】
ここで、クラウドサーバ１０３（ストリーム混合サーバ）は、前記サービスオペレーションビデオデータを記憶する前に、前記第１サービスクライアントからユーザ情報を取得し、第１サービスクライアントのユーザ情報には、前記第１サービスクライアントが所属するサービスプロバイダのサービスプロバイダ識別子（例えば、サービスプロバイダＩＤ）と、第１サービスクライアントのユーザのアイデンティティ検証情報（例えば、アクセストークンまたはアクセス証明書ｔｏｋｅｎ）とが含まれ、ユーザのアイデンティティ検証情報とユーザ識別子との間には一対一の関係がある。
【０１０３】
いくつかの実施例では、クラウドサーバ１０３（独立管理制御サーバ）は、申請して得られたＳＳＬ証明書と作成されたオブジェクトストレージＣＯＳサーバのサブドメイン名とをクラウドサーバ１０３（オブジェクトストレージＣＯＳサーバ）にアップロードするステップ３０２を実行し、クラウドサーバ１０３（オブジェクトストレージＣＯＳサーバにおける独立管理制御サーバ）は、サービスプロバイダのために、サービスプロバイダ識別子（例えば、サービスプロバイダＩＤ）、前記第１サービスクライアントのユーザ識別子（例えば、ユーザＩＤ）、および前記第１サービスクライアントのユーザのアイデンティティ検証情報を作成するステップ３０２を実行し、サービスプロバイダ識別子（例えば、サービスプロバイダＩＤ）、前記第１サービスクライアントのユーザ識別子（例えば、ユーザＩＤ）、および前記第１サービスクライアントのユーザのアイデンティティ検証情報が作成された後、クラウドサーバ１０３（オブジェクトストレージＣＯＳサーバ）は、サービスプロバイダ識別子（例えば、サービスプロバイダＩＤ）、前記第１サービスクライアントのユーザ識別子（例えば、ユーザＩＤ）、および前記第１サービスクライアントのユーザのアイデンティティ検証情報をクラウドサーバ１０３（独立管理制御サーバ）に送信する。
【０１０４】
いくつかの実施例では、クラウドサーバ１０３（オブジェクトストレージＣＯＳサーバ）は、第１サービスクライアントから送信されたユーザ認可情報（例えば、ユーザのＯｐｅｎ  ＩＤ及び認可トークンｔｏｋｅｎ）を受信し、クラウドサーバ１０３（オブジェクトストレージＣＯＳサーバ）は、前記第１サービスクライアントがログインするアプリケーションサーバ（例えば、Ｗｅｂバージョンのソーシャルアプリケーションがログインするソーシャルアプリケーションサーバ）に、ユーザ認可情報を携帯しているユーザログイン情報取得要求を送信し、クラウドサーバ１０３（オブジェクトストレージＣＯＳサーバ）は、上記アプリケーションサーバがこの取得要求に応じて返信したユーザログイン情報を受信することにより、第１サービスクライアントのユーザのログイン認可を完了し、クラウドサービスサーバ１０３（オブジェクトストレージＣＯＳサーバ）が前記第１サービスクライアントのユーザログイン情報（例えば、ユーザのソーシャルアカウントのニックネームやユーザのソーシャルアカウントのアバター情報など）を取得した場合、すなわち、第１サービスクライアントのユーザのログイン認可が完了した場合、クラウドサーバ１０３（独立管理制御サーバ）は、前記サービスプロバイダ識別子と第１サービスクライアントのユーザのアイデンティティ検証情報とを前記第１サービスクライアントに送信するステップ３０３を実行し、クラウドサーバ１０３（ストリーム混合サーバ）が前記サービスオペレーションビデオデータを記憶する前に前記第１サービスクライアントからユーザ情報を取得するステップを、前記サービスプロバイダ識別子と第１サービスクライアントのユーザのアイデンティティ検証情報とをクラウドサーバ１０３（オブジェクトストレージＣＯＳサーバ）が第１サービスクライアントに送信した後に実行する。
【０１０５】
説明すべきものとして、第１サービスクライアントは、また、上記独立管理制御サーバからオブジェクトストレージＣＯＳサーバのサブドメイン名を取得することで、オブジェクトストレージＣＯＳサーバのアクセスアドレスを決定する。
【０１０６】
ここで、クラウドサーバ１０３（ストリーム混合サーバ）は、クラウドサーバ１０３（オブジェクトストレージＣＯＳサーバ）に記憶要求を送信し、クラウドサーバ１０３（オブジェクトストレージＣＯＳサーバ）が、前記サービスオペレーションビデオデータの、前記第１サービスクライアントのユーザ情報を携帯している記憶要求を受信した場合、前記第１サービスクライアントのユーザ情報を検証し、前記第１サービスクライアントのユーザ情報が検証に合格した後、クラウドサーバ１０３（オブジェクトストレージＣＯＳサーバ）は、前記サービスオペレーションビデオデータを記憶して、前記サービスオペレーションビデオデータの記憶情報を決定するステップ３０９を実行する。
【０１０７】
いくつかの実施例では、前記サービスオペレーションビデオデータを記憶することは、クラウドサーバ１０３（オブジェクトストレージＣＯＳサーバ）が、前記サービスオペレーションビデオデータをビデオファイルとして記憶することと、このビデオファイルを少なくとも２つのビデオデータセグメントに分割し、前記ビデオデータセグメントに基づいて、対応するビデオデータセグメントインデックス情報を生成し、前記ビデオデータセグメントを分散的に少なくとも２つの記憶ノード（例えば、記憶サーバ）に記憶することと、前記ビデオデータセグメントインデックス情報を記憶して、前記ビデオデータセグメントインデックス情報の記憶情報（例えば、記憶アドレス）を決定することとを含み、本実施例がビデオデータセグメントを分散的に記憶する方式を採用するため、任意のディスク媒体を盗み取ることは、有用な完全なビデオデータを得ることができず、これにより、データ記憶のセキュリティ性が効果的に保証される。
【０１０８】
ここで、上記ビデオデータセグメントインデックス情報には、少なくともビデオファイルＩＤ、ビデオファイル記述情報、ビデオデータセグメント識別子、ビデオデータセグメントの、このビデオファイルにおける開始時間、終了時間、オフセット量、およびデータ長などが含まれる。
【０１０９】
いくつかの実施例では、クラウドサーバ１０３（オブジェクトストレージＣＯＳサーバ）は、前記サービスオペレーションビデオデータの前記記憶情報（例えば、記憶アドレス）を前記第１サービスクライアントに送信するステップ３１０を実行することにより、前記第１サービスクライアントは、前記記憶情報を前記第２サービスクライアントが取得するためにサービスプラットフォームに保存するステップ３１１を実行する。
【０１１０】
ここで、第２サービスクライアントのユーザは、サービスプロバイダの監査役などのような、サービスオペレーションビデオデータを監査するユーザであってもよい。
【０１１１】
ステップ２０５で、第２サービスクライアントから送信された、前記記憶情報を携帯しているアクセス要求を受信する。
【０１１２】
いくつかの実施例では、第２サービスクライアントは、上記サービスプラットフォームから上記記憶情報（例えば、記憶アドレス）を取得するステップ３１２を実行する。第２サービスクライアントは、記憶情報を携帯しているアクセス要求をクラウドサーバ１０３（オブジェクトストレージＣＯＳサーバ）に送信する。クラウドサーバ１０３（オブジェクトストレージＣＯＳサーバ）は、このアクセス要求を受信するステップ３１３を実行する。
【０１１３】
説明すべきものとして、第２サービスクライアントが上記サービスプラットフォームから記憶情報を取得する際に、この第２サービスクライアントのユーザは、この記憶情報を取得するための閲覧及び取得権限を持つ必要があり、同時に、第１サービスクライアントのユーザは、自分がサービスプラットフォームに入力した記憶情報を閲覧及び取得する権限を持つことができる。
【０１１４】
ステップ２０６で、前記第２サービスクライアントが前記サービスオペレーションビデオデータに基づいて前記サービスオペレーションに対する処理を完了するように、前記アクセス要求に応答して、前記記憶情報に基づいて前記サービスオペレーションビデオデータを取得して前記第２サービスクライアントに返信する。
【０１１５】
いくつかの実施例では、前記アクセス要求には、前記第２サービスクライアントのユーザ情報がさらに携帯され、クラウドサーバ１０３（オブジェクトストレージＣＯＳサーバ）は、前記アクセス要求に応答して、前記第２サービスクライアントのユーザ情報を検証し、前記第２サービスクライアントのユーザ情報が検証に合格した後、クラウドサーバ１０３（オブジェクトストレージＣＯＳサーバ）は、前記記憶情報（例えば、記憶アドレス）に基づいて前記サービスオペレーションビデオデータを取得し、かつ、サービスオペレーションビデオデータを前記第２サービスクライアントに送信するステップ３１４を実行する。
【０１１６】
ここで、前記第２サービスクライアントのユーザ情報には、前記第２サービスクライアントが所属するサービスプロバイダのサービスプロバイダ識別子（例えば、サービスプロバイダＩＤ）と、第２サービスクライアントのユーザのアイデンティティ検証情報（例えば、アクセストークンまたはアクセス証明書ｔｏｋｅｎ）とが含まれる。
【０１１７】
また、上記サービスオペレーションビデオデータは、記憶された際に暗号化して記憶されたものであるため、記憶されたサービスオペレーションビデオデータが第２サービスクライアントに送信される場合、このサービスオペレーションビデオデータも暗号化されたものであり、第２サービスクライアントは、この暗号化されたサービスオペレーションビデオデータを受信した後、それを復号化して、監査を行うために第２サービスクライアントのユーザに提示する。
【０１１８】
いくつかの実施例では、クラウドサーバ１０３（オブジェクトストレージＣＯＳサーバにおける独立管理制御サーバ）は、前記第２サービスクライアントのユーザ識別子（例えば、ユーザＩＤ）と前記第２サービスクライアントのユーザのアイデンティティ検証情報とを作成するステップ３０２をサービスプロバイダのために実行し、前記第２サービスクライアントのユーザ識別子（例えば、ユーザＩＤ）と前記第２サービスクライアントのユーザのアイデンティティ検証情報とが作成された後、クラウドサーバ１０３（オブジェクトストレージＣＯＳサーバ）は、前記第２サービスクライアントのユーザ識別子（例えば、ユーザＩＤ）と前記第２サービスクライアントのユーザのアイデンティティ検証情報とをクラウドサーバ１０３（独立管理制御サーバ）に送信するステップ３０４を実行する。
【０１１９】
説明すべきものとして、前文において申請して得られたＳＳＬ証明書と作成されたオブジェクトストレージＣＯＳサーバのサブドメイン名とが既にクラウドサーバ１０３（オブジェクトストレージＣＯＳサーバ）にアップロードされたので、このステップはここでは繰り返されず、また、前文においてサービスプロバイダ識別子が既に作成されたので、サービスプロバイダ識別子を作成することはここでは繰り返されない。
【０１２０】
いくつかの実施例では、クラウドサーバ１０３（オブジェクトストレージＣＯＳサーバ）は、第２サービスクライアントから送信されたユーザ認可情報（例えば、ユーザのＯｐｅｎ  ＩＤと認可トークンｔｏｋｅｎ）を受信し、クラウドサーバ１０３（オブジェクトストレージＣＯＳサーバ）は、上記第２サービスクライアントがログインするアプリケーションサーバ（例えば、Ｗｅｂバージョンのソーシャルアプリケーションがログインするソーシャルアプリケーションサーバ）に、ユーザ認可情報を携帯しているユーザログイン情報取得要求を送信し、クラウドサーバ１０３（オブジェクトストレージＣＯＳサーバ）は、上記アプリケーションサーバがこの取得要求に応じて返信したユーザログイン情報を受信することにより、第２サービスクライアントのユーザのログイン認可を完了し、クラウドサーバ１０３（オブジェクトストレージＣＯＳサーバ）が前記第２サービスクライアントのユーザログイン情報（例えば、ユーザのソーシャルアカウントのニックネームやユーザのソーシャルアカウントのアバター情報など）を取得した場合、クラウドサーバ１０３（独立管理制御サーバ）は、前記サービスプロバイダ識別子と第２サービスクライアントのユーザのアイデンティティ検証情報とを前記第２サービスクライアントに送信するステップ３０４を実行し、クラウドサーバ１０３（独立管理制御サーバ）が前記サービスプロバイダ識別子と第２サービスクライアントのユーザのアイデンティティ検証情報とを前記第２サービスクライアントに送信した後、クラウドサーバ１０３（オブジェクトストレージＣＯＳサーバ）は、前記第２サービスクライアントから送信された、前記記憶情報を携帯しているアクセス要求を受信するステップを実行する。
【０１２１】
説明すべきものとして、第２サービスクライアントは、また、上記独立管理制御サーバからオブジェクトストレージＣＯＳサーバのサブドメイン名を取得して、オブジェクトストレージＣＯＳサーバのアクセスアドレスを決定することができ、また、本願において、ストリーム混合サーバ、第１サービスクライアント、及び第２サービスクライアントは、直接にオブジェクトストレージＣＯＳサーバにアクセスしてサービスオペレーションビデオデータを処理する際に、いずれもオブジェクトストレージＣＯＳサーバのサブドメイン名を携帯してオブジェクトストレージＣＯＳサーバのアクセスアドレスを決定する必要がある。
【０１２２】
いくつかの実施例では、前記記憶情報に基づいて前記サービスオペレーションビデオデータを取得して前記第２サービスクライアントに返信することは、クラウドサーバ１０３（オブジェクトストレージＣＯＳサーバ）が、前記記憶情報に基づいて前記ビデオデータセグメントインデックス情報を取得し、前記ビデオデータセグメントインデックス情報に基づいて前記ビデオデータセグメントを集約して前記サービスオペレーションビデオデータ生成し、生成されたサービスオペレーションビデオデータに基づいて、前記サービスオペレーションビデオデータのリンクアドレス（例えば、サービスオペレーションビデオデータのＵＲＬ）を生成することと、クラウドサーバ１０３（オブジェクトストレージＣＯＳサーバ）が、取得要求をクラウドサーバ１０３（オブジェクトストレージＣＯＳサーバ）に送信するステップ３１５を前記第２サービスクライアントが前記リンクアドレスに基づいて実行するように、前記リンクアドレスを前記第２サービスクライアントに送信するステップ３１４を実行することと、クラウドサーバ１０３（オブジェクトストレージＣＯＳサーバ）が、サービスオペレーションビデオデータを送信するステップ３１６をこの取得要求に応答して実行することとを含み、そうすると、第２サービスクライアントは、前記サービスオペレーションビデオデータを取得する。
【０１２３】
いくつかの実施例では、前記ビデオデータセグメントインデックス情報に基づいて前記ビデオデータセグメントを集約して前記サービスオペレーションビデオデータを生成することは、クラウドサーバ１０３（オブジェクトストレージＣＯＳサーバ）が、ビデオデータセグメントインデックス情報に基づいて、このビデオデータセグメントＩＤを取得し、再生時間順に従ってこのビデオデータセグメントＩＤを並べ替えて、ソートテーブル（すなわち生成された記録）を生成し、このソートテーブルに基づいてビデオデータセグメントの記憶位置を順次に決定することにより、完全なサービスオペレーションビデオデータおよびサービスオペレーションビデオデータの接続アドレスを生成することを含む。
【０１２４】
いくつかの実施例では、クラウドサーバ１０３（オブジェクトストレージＣＯＳサーバ）は、前記記憶情報に基づいて前記サービスオペレーションビデオデータを取得して前記第２サービスクライアントに返信した後、ビデオデータセグメントに基づいて生成された記録（すなわち上記ソートテーブル）および生成された前記リンクアドレスを削除し、これにより、データ記憶のセキュリティ性が効果的に保証される。
【０１２５】
いくつかの実施例では、前記サービスオペレーションビデオデータのライフサイクルが終了した（またはオブジェクトストレージＣＯＳサーバで実行されているアプリケーションソフトウェアのライフサイクルが終了した）場合、ビデオデータセグメントに基づいて生成された記録（すなわち上記ソートテーブル）および生成された前記リンクアドレスを削除し、これにより、データ記憶のセキュリティ性が効果的に保証される。
【０１２６】
本願は、ソーシャルプラットフォーム（例えば、ソーシャルＡＰＰ及びＷｅｂバージョンのソーシャルアプリケーション）に基づいて、ユーザクライアントから第１サービスクライアントまでの閉ループを実現することで、ユーザに完璧な体験をもたらすことができ、かつ、独立管理制御サーバをクラウドサーバ１０３にデプロイすることは、高度集積化されたワンタッチ式デプロイメントを実現し、サービスプロバイダの一括建設投入のコストを低減することができ、また、サービスオペレーションの発展の動態に応じて容量を拡張または削減することができ、独立管理制御サーバによって運営コストが効率的に低減されることができる。
【０１２７】
クラウドサーバ１０３におけるいずれかの物理媒体は、独立管理制御サーバが所在するエリア（例えば、マシンルーム）から離れる際に、磁気除去処理が実行され、これによって、データのセキュリティ性が保証される。
【０１２８】
また、本願は、また、ユーザクライアント（例えば、ソーシャルＡＰＰ）に適用されるメディアデータ処理方法を提供し、図５に示すように、この方法５００は、以下のステップを含む。
【０１２９】
ステップ５０１で、クラウドサーバが第１ビデオデータとサービスクライアントから取得された第２ビデオデータとを合成してサービスオペレーションビデオデータを生成するように、前記第１ビデオデータを前記クラウドサーバ１０３に送信する。
【０１３０】
いくつかの実施例では、サービスプロバイダは、サービスプロバイダの顧客情報データベースに従って、顧客のユーザクライアントにサービスオペレーションのプッシュ入り口（例えば、ソーシャルＡＰＰのアプリケーションプラットフォームでプッシュされた広告メッセージ、広告トレンドまたはサービスプロバイダの公式アカウント）をプッシュすることができ、図６は、ユーザクライアントで広告を提示するプッシュ画面６００を示し、ユーザは、ユーザクライアントを介して、このプッシュ入り口（つまり、プッシュされた広告）を見た後、このプッシュ入り口をクリックすることでこのプッシュ入り口へのログイン認可を同時に完了することができ、ログイン認可が完了した後、ユーザクライアントは、Ｈ５組み込みアプリケーション、ＷｅＣｈａｔミニプログラムまたは公式アカウントを呼び出して、このサービスオペレーションのアプリケーションシナリオ（例えば、双方向ビデオに基づく証券の口座開設）に入り、ユーザは、このサービスオペレーションのアプリケーションシナリオの提示情報に基づいて、サービスオペレーションを１つずつ完了する。
【０１３１】
いくつかの実施例では、ユーザは、サービスオペレーションの、サービスプロバイダのプラットフォームから提供されたサービスオペレーションの入り口（例えば、双方向ビデオ認証インターフェース）をユーザクライアントのために提示する提示情報に基づいて、双方向ビデオ認証を行い、ユーザがこのサービスオペレーションインターフェースをクリックする場合、ユーザクライアントは、前記サービスオペレーションの入り口への選択オペレーション（すなわち、サービスクライアントとビデオ接続を行うオペレーション）に応答して、前記サービスクライアント（例えば、サービスプロバイダのエージェントがログインを行う際のサービスクライアント）に、前記ユーザクライアントのユーザログイン情報を携帯しているサービスオペレーション要求（例えば、ビデオ接続要求）を送信する。
【０１３２】
上記ログイン認可の方式には、ユーザがこのプッシュ入り口をクリックする場合、ユーザクライアントはそのサービスシステムＳＤＫを介して、ユーザログイン情報がサービスプロバイダによって認可されてログインが確認されたことをユーザに提示する、ことが含まれる。図７は、ユーザクライアントに提示されるログイン認可画面７００を示し、ユーザがログイン認可画面７００における「ログイン確認」をクリックする場合、ユーザクライアントのサービスシステムＳＤＫは、クラウドサーバ１０３（オブジェクトストレージＣＯＳサーバ）が認可情報に基づいて前記ユーザクライアントがログインするアプリケーションサーバから前記ユーザクライアントのユーザログイン情報を取得するように、受信されたログイン認可命令に応答して、前記認可情報を前記クラウドサーバ１０３（オブジェクトストレージＣＯＳサーバ）に送信する。前記ログイン認可が完了した後、ユーザクライアントは、前記サービスクライアントに前記サービスオペレーション要求を送信するステップを実行する。図８は、ユーザクライアントがサービスクライアントにサービスオペレーション要求を送信するビデオ接続画面８００を示す。
【０１３３】
いくつかの実施例では、ユーザクライアントは、前記サービスクライアントが前記サービスオペレーション要求に応答して送信したビデオアップロード指示を受信し、このビデオアップロード指示には、クラウドサーバ１０３（ストリーム混合サーバ）のアドレス情報が携帯され、前記クラウドサーバ１０３（ストリーム混合サーバ）に前記第１ビデオデータを送信するステップを、ユーザクライアントが前記ビデオアップロード指示を受信する場合にこのアドレス情報に基づいて実行する。
【０１３４】
ここで、前記第１ビデオデータを送信する方式は、ビデオアップロード指示を受信した場合、ユーザクライアントの、ＨＴＴＰＳセキュリティチャネルを確立する双方向ビデオＳＤＫを呼び出し、端末デバイス１０１の画像取得デバイス（例えば、フロントカメラ）を介してローカルユーザ画像を収集し、収集されたローカルユーザ画像を暗号化して、クラウドサーバ１０３（ストリーム混合サーバ）にアップロードすることを含むようにしてよい。
【０１３５】
説明すべきものとして、画像の暗号化方式は、ユーザが自主的に選択することができ、画像の暗号化方式は、前述の暗号化方式と同じである。
【０１３６】
ステップ５０２で、前記ユーザクライアントが前記サービスオペレーションビデオデータに基づいて前記サービスクライアントとのサービスオペレーションを完了するように、前記クラウドサーバ１０３から送信された前記サービスオペレーションビデオデータを受信して提示する。
【０１３７】
いくつかの実施例では、ユーザクライアントの双方向ビデオＳＤＫは、クラウドサーバ１０３（ストリーム混合サーバ）がＨＴＴＰＳセキュリティチャネルを介して送信した、暗号化されたサービスオペレーションビデオデータを受信し、この暗号化されたサービスオペレーションビデオデータを復号化して、ユーザクライアントのビデオウィンドウを介してユーザに提示し、これによって、認証待ちユーザがサービスクライアントのユーザとビデオインタラクションを行う。図９は、ユーザクライアントとサービスクライアント（例えば、サービスプロバイダのエージェントがログインを行う際のサービスクライアント）とのビデオインタラクションのビデオウィンドウ９００を示し、このビデオウィンドウ９００は、ユーザクライアントのユーザ（例えば、ソーシャルＡＰＰのユーザ）とサービスクライアントのユーザ（例えば、サービスプロバイダのエージェント）とを示す。
【０１３８】
さらに、双方向ビデオＳＤＫは、復号化されたサービスオペレーションビデオデータをユーザプライベート読み書きモードに設定する。
【０１３９】
いくつかの実施例では、ユーザクライアントのユーザとサービスクライアントのユーザが双方向ビデオ認証を完了した後、ユーザクライアントは、前記サービスクライアントに取得要求を定時的に送信し、前記サービスクライアントが前記取得要求に応答して送信したサービスオペレーションの処理結果（例えば、認証処理が合格になるか認証処理が不合格になるかということ）を受信する。
【０１４０】
本願は、また、サービスクライアント（例えば、Ｗｅｂバージョンのソーシャルアプリケーション）に適用されるメディアデータ処理方法を提供し、この方法は、第１ユーザ（例えば、サービスプロバイダのエージェント）がログインを行う際にサービスオペレーションプロセスを実行することを含み、図１０に示すように、このサービスオペレーションプロセス１０００は、以下のステップを含む。
【０１４１】
ステップ１００１で、クラウドサーバ１０３が第１ビデオデータとユーザクライアントから取得された第２ビデオデータとを合成してサービスオペレーションビデオデータを生成するように、前記第１ビデオデータを前記クラウドサーバ１０３に送信する。
【０１４２】
いくつかの実施例では、サービスクライアント（例えば、Ｗｅｂバージョンのソーシャルアプリケーション）は、前記ユーザクライアント（ソーシャルＡＰＰ）から送信されたサービスオペレーション要求を受信し、前記サービスオペレーション要求には、前記ユーザクライアントのユーザログイン情報が携帯され、サービスクライアントは、前記サービスオペレーション要求に応答して、前記ユーザクライアントにビデオアップロード指示を送信し、同時に、サービスクライアントは、クラウドサーバ１０３（ストリーム混合サーバ）がユーザクライアントとサービスクライアントとの間のビデオ接続を確立するように、ビデオ接続要求をクラウドサーバ１０３（ストリーム混合サーバ）に送信する。
【０１４３】
説明すべきものとして、ユーザクライアントのユーザはすでにサービスプロバイダの顧客であるため、サービスプロバイダは、上記ユーザクライアントのユーザに対して顧客情報データベースを設置し、この顧客情報データベースに基づいて、顧客情報データベースにおけるユーザと、ユーザクライアントのユーザとの間の事前に設定された接続を行うことにより、サービスクライアントのユーザは、他のサーバが中継を行う必要がなく、ユーザクライアントと情報インタラクションを直接に行うことができる。
【０１４４】
ステップ１００２で、前記サービスクライアントが前記サービスオペレーションビデオデータに基づいて前記ユーザクライアントとのサービスオペレーションを完了するように、前記クラウドサーバ１０３から送信された前記サービスオペレーションビデオデータを受信して提示する。
【０１４５】
いくつかの実施例では、サービスクライアントは、クラウドサーバ１０３（オブジェクトストレージＣＯＳサーバ）が認可情報に基づいて前記サービスクライアントがログインするアプリケーションサーバ（例えば、Ｗｅｂバージョンのソーシャルアプリケーションがログインするアプリケーションサーバ）から前記サービスクライアントのユーザログイン情報を取得するように、受信されたログイン認可命令に応答して、前記クラウドサーバ１０３（オブジェクトストレージＣＯＳサーバ）に前記認可情報を送信し、ログイン認可が完了した後、サービスクライアントは、サービスクライアントのユーザ情報の取得要求をクラウドサーバ１０３（独立管理制御サーバ）に送信し、前記クラウドサーバ１０３（独立管理制御サーバ）が前記取得要求に応答して送信したサービスクライアントのユーザ情報を受信する。
【０１４６】
ここで、サービスクライアントのユーザ情報には、サービスプロバイダのサービングプロバイダ識別子と、サービスクライアントのユーザ（すなわち第１ユーザまたは第２ユーザであり、ここで、第２ユーザはサービスプロバイダの監査役であってもよい）のアイデンティティ検証情報とが含まれる。
【０１４７】
説明すべきものとして、上記サービスクライアントは、Ｗｅｂバージョンのソーシャルアプリケーションであるが、サービスクライアントのログイン認可の具体的な処理方式は、ユーザクライアントのログイン認可の具体的な処理方式と同じであり、また、サービスクライアントがユーザ情報を取得する具体的なプロセスは、以上で説明されたので、いすれかに対する説明はここでは省略される。
【０１４８】
ステップ１００３で、前記サービスオペレーションの処理結果を決定し、前記クラウドサーバ１０３に前記処理結果を送信する。
【０１４９】
いくつかの実施例では、サービスクライアントの第１ユーザ（例えば、サービスプロバイダのエージェント）は、サービスオペレーション（例えば、双方向ビデオ認証サービスオペレーション）を完了した後、このサービスオペレーションを認証し、このサービスオペレーションの処理結果（例えば、認証処理が合格になるか認証処理が不合格になるかということ）を決定するとともに、第１ユーザがこの処理結果を保存し（例えば、処理結果をサービスプラットフォームにアップロードする）、サービスクライアントがクラウドサーバ１０３（ストリーム混合サーバ）から送信された処理結果取得要求を受信した後、サービスクライアントは、この取得要求に応答して、クラウドサーバ１０３（ストリーム混合サーバ）にこの処理結果を送信する。
【０１５０】
いくつかの実施例では、サービスクライアントは、前記クラウドサーバ１０３（ストリーム混合サーバ）から送信された前記サービスオペレーションビデオデータの記憶情報を受信し、前記記憶情報をサービスプラットフォームに保存する。
【０１５１】
第２ユーザ（例えば、サービスプロバイダの監査役）がログインを行う際に、サービスオペレーション監査プロセスを実行することは、サービスクライアントが前記サービスプラットフォームから前記記憶情報を取得し、図１１には、サービスプラットフォームの記憶情報画面１１００が示され、サービスクライアントがクラウドサーバ１０３（オブジェクトストレージＣＯＳサーバ）に、前記記憶情報を携帯しているアクセス要求を送信することと、サービスクライアントが、前記クラウドサーバ１０３（オブジェクトストレージＣＯＳサーバ）が前記アクセス要求に応答して送信した前記サービスオペレーションビデオデータのリンクアドレスを受信することと、サービスクライアントが、前記リンクアドレスに基づいて、サービスオペレーションビデオデータを取得することとを含む。
【０１５２】
ここで、前記アクセス要求には、サービスクライアントのユーザ情報（すなわち、第２ユーザのユーザ情報）が携帯され、前記クラウドサーバ１０３（オブジェクトストレージＣＯＳサーバ）が前記アクセス要求に応答して送信した前記サービスオペレーションビデオデータのリンクアドレスを受信するステップを、前記サービスクライアントのユーザ情報がクラウドサーバ１０３（オブジェクトストレージＣＯＳサーバ）の検証に合格した後に実行する。
【０１５３】
前記サービスクライアントのユーザ情報には、サービスプロバイダのサービスプロバイダ識別子と、サービスクライアントのユーザ（第２ユーザ）のアイデンティティ検証情報とが含まれる。
【０１５４】
クラウドサーバ１０３に適用されるメディアデータ処理方法２００に対応して、本願は、また、クラウドサーバ１０３に適用されるメディアデータ処理方法１２００を提供し、図１２に示すように、この処理装置１２００は、生成モジュール１２０１と、ビデオ送信モジュール１２０２と、結果取得モジュール１２０３と、情報記憶モジュール１２０４と、アクセス要求受信モジュール１２０５と、ビデオ取得モジュール１２０６とを含み、かつ、各モジュールの機能は、以下の通りである。
【０１５５】
生成モジュール１２０１は、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成する。
【０１５６】
ビデオ送信モジュール１２０２は、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信する。
【０１５７】
結果取得モジュール１２０３は、前記第１サービスクライアントから前記サービスオペレーションの処理結果を取得する。
【０１５８】
情報記憶モジュール１２０４は、前記処理結果がオペレーションが有効になることを示す場合、前記サービスオペレーションビデオデータを記憶して記憶情報を生成し、第１サービスクライアントが前記サービスオペレーションビデオデータの前記記憶情報をサービスプラットフォームに保存するように、前記サービスオペレーションビデオデータの前記記憶情報を前記第１サービスクライアントに送信する。
【０１５９】
アクセス要求受信モジュール１２０５は、第２サービスクライアントから送信された、前記記憶情報を携帯しているアクセス要求を受信する。
【０１６０】
ビデオ取得モジュール１２０６は、前記第２サービスクライアントが前記サービスオペレーションビデオデータに基づいて前記サービスオペレーションに対する処理を完了するように、前記アクセス要求に応答して、前記記憶情報に基づいて前記サービスオペレーションビデオデータを取得して前記第２サービスクライアントに返信する。
【０１６１】
いくつかの実施例では、前記処理装置１２００は、前記ユーザクライアントから送信されたビデオ接続要求を受信する接続要求受信モジュールと、前記ビデオ接続要求に応答して、前記ユーザクライアントと前記第１サービスクライアントとの間のビデオ接続を確立する接続確立モジュールとをさらに含み、ここで、前記ビデオ接続が確立された後、前記ビデオ接続によって前記第１ビデオデータと前記第２ビデオデータを取得する。
【０１６２】
いくつかの実施例では、前記処理装置１２００は、ユーザクライアントから送信されたユーザ認可情報を受信する情報受信モジュールと、前記ユーザ認可情報に基づいて、前記ユーザクライアントのユーザログイン情報を取得し、前記第１サービスクライアントに前記ユーザクライアントのユーザログイン情報を送信するログイン情報取得モジュールとをさらに含み、ここで、前記第１サービスクライアントから送信された前記ユーザクライアントのユーザログイン情報が受信された場合、生成モジュール１２０１は、前記ユーザクライアントが前記第１サービスクライアントとのサービスオペレーションを行うと判定する。
【０１６３】
いくつかの実施例では、前記生成モジュール１２０１は、前記第１セキュリティ伝送チャネルを介して、前記ユーザクライアントから送信された第１暗号化ビデオデータストリームを取得する第１取得手段と、前記第２セキュリティ伝送チャネルを介して、前記第１サービスクライアントから送信された第２暗号化ビデオデータストリームを取得する第２取得手段と、取得された前記第１暗号化ビデオデータストリームを復号化し、復号化された第１ビデオデータストリームを得る第１復号化手段と、取得された前記第２暗号化ビデオデータストリームを復号化し、復号化された第２ビデオデータストリームを得る第２復号化手段と、前記復号化された第１ビデオデータストリームと前記復号化された第２ビデオデータストリームを混合してサービスオペレーションビデオデータストリームを生成する混合手段とを含む。
【０１６４】
いくつかの実施例では、前記処理装置１２００は、前記ユーザクライアントから送信された前記第１暗号化ビデオデータストリームが到着したことが検出された場合、前記第１暗号化ビデオデータストリームに対してデータストリーム検出を行う検出モジュールをさらに含み、ここで、前記第１暗号化ビデオデータストリームがデータストリーム検出に合格した後、前記生成モジュール１２０１における第１取得手段は、前記ユーザクライアントから送信された第１暗号化ビデオデータストリームを取得する。
【０１６５】
いくつかの実施例では、前記ビデオ送信モジュール１２０２は、前記サービスオペレーションビデオデータストリームを暗号化する暗号化手段と、前記第１セキュリティ伝送チャネルを介して、暗号化された前記サービスオペレーションビデオデータストリームを前記ユーザクライアントに送信する第１送信手段と、前記第２セキュリティ伝送チャネルを介して、暗号化された前記サービスオペレーションビデオデータストリームを前記第１サービスクライアントに送信する第２送信手段とを含む。
【０１６６】
いくつかの実施例では、前記処理装置１２００は、前記サービスオペレーションビデオデータが記憶される前に、前記第１サービスクライアントからユーザ情報を取得するユーザ情報取得モジュールと、前記サービスオペレーションビデオデータの、前記第１サービスクライアントのユーザ情報を携帯している記憶要求が受信された場合、前記第１サービスクライアントのユーザ情報を検証する第１検証モジュールと、前記第１サービスクライアントのユーザ情報が検証に合格した後、前記サービスオペレーションビデオデータを記憶し、前記サービスオペレーションビデオデータの記憶情報を決定する決定モジュールとをさらに含み、ここで、前記第１サービスクライアントのユーザ情報には、前記第１サービスクライアントが所属するサービスプロバイダのサービスプロバイダ識別子と、第１サービスクライアントのユーザのアイデンティティ検証情報とが含まれる。
【０１６７】
いくつかの実施例では、前記情報記憶モジュール１２０４は、前記サービスオペレーションビデオデータをビデオファイルとして記憶する記憶手段と、前記ビデオファイルを少なくとも２つのビデオデータセグメントに分割し、前記ビデオデータセグメントに基づいて、対応するビデオデータセグメントインデックス情報を生成し、前記ビデオデータセグメントを分散的に少なくとも２つの記憶ノードに記憶する分割手段と、前記ビデオデータセグメントインデックス情報を記憶し、前記ビデオデータセグメントインデックス情報の記憶情報を決定する決定手段とを含む。
【０１６８】
いくつかの実施例では、前記ビデオ取得モジュール１２０６は、前記記憶情報に基づいて、前記ビデオデータセグメントインデックス情報を取得する取得手段と、前記ビデオデータセグメントインデックス情報に基づいて、前記ビデオデータセグメントを集約して前記サービスオペレーションビデオデータを生成する集約手段と、前記サービスオペレーションビデオデータのリンクアドレスを生成する生成手段と、前記第２サービスクライアントが前記リンクアドレスに基づいて前記サービスオペレーションビデオデータを取得するように、前記リンクアドレスを前記第２サービスクライアントに送信する送信手段とを含む。
【０１６９】
いくつかの実施例では、前記アクセス要求には、前記第２サービスクライアントのユーザ情報がさらに携帯され、前記処理装置１２００は、前記アクセス要求に応答して、前記第２サービスクライアントのユーザ情報を検証する第２検証モジュールをさらに含み、前記第２サービスクライアントのユーザ情報が検証に合格した後、ビデオ取得モジュール１２０６は、前記記憶情報に基づいて、前記サービスオペレーションビデオデータを取得して前記第２サービスクライアントに返信し、ここで、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる。
【０１７０】
いくつかの実施例では、前記処理装置１２００は、サービスプロバイダのために、サービスプロバイダ識別子、前記第１サービスクライアントのユーザ識別子、および前記第１サービスクライアントのユーザのアイデンティティ検証情報を作成する第１作成モジュールと、前記第１サービスクライアントのユーザログイン情報が取得された場合、前記サービングプロバイダ識別子と、第１サービスクライアントのユーザのアイデンティティ検証情報とを前記第１サービスクライアントに送信する第１情報送信モジュールとをさらに含み、ここで、前記サービスプロバイダ識別子と第１サービスクライアントのユーザのアイデンティティ検証情報とが前記第１サービスクライアントに送信された後、前記ユーザ情報取得モジュールは、前記第１サービスクライアントからユーザ情報を取得する。
【０１７１】
いくつかの実施例では、前記処理装置１２００は、サービスプロバイダのために、サービスプロバイダ識別子、前記第２サービスクライアントのユーザ識別子、および前記第２サービスクライアントのユーザのアイデンティティ検証情報を作成する第２作成モジュールと、前記第２サービスクライアントのユーザログイン情報が取得された場合、前記サービスプロバイダ識別子と、第２サービスクライアントのユーザのアイデンティティ検証情報とを前記第２サービスクライアントに送信する第２情報送信モジュールとをさらに含み、ここで、前記サービスプロバイダ識別子と第２サービスクライアントのユーザのアイデンティティ検証情報とが前記第２サービスクライアントに送信された後、アクセス要求受信モジュール１２０５は、第２サービスクライアントから送信された、前記記憶情報を携帯しているアクセス要求を受信する。
【０１７２】
いくつかの実施例では、前記処理装置１２００は、前記記憶情報に基づいて前記サービスオペレーションビデオデータを取得して前記第２サービスクライアントに返信された後、前記ビデオデータセグメントインデックス情報に基づいて生成された記録および生成された前記リンクアドレスを削除する第１削除モジュールをさらに含む。
【０１７３】
いくつかの実施例では、前記処理装置１２００は、前記サービスオペレーションビデオデータのライフサイクルが終了した場合、前記ビデオデータセグメントインデックス情報に基づいて生成された記録および生成された前記リンクアドレスを削除する第２削除モジュールをさらに含む。
【０１７４】
いくつかの実施例では、前記処理装置１２００は、第１サービスクライアントが前記記憶情報を前記第２サービスクライアントが取得するためにサービスプラットフォームに保存するように、前記サービスオペレーションビデオデータの前記記憶情報を前記第１サービスクライアントに送信する第３情報送信モジュールをさらに含む。
【０１７５】
ユーザクライアント（例えば、ソーシャルＡＰＰ）に適用されるメディアデータ処理方法５００に対応して、本願は、また、ユーザクライアント（例えば、ソーシャルＡＰＰ）に適用されるメディアデータ処理装置１３００を提供し、図１３に示すように、この処理装置１３００は、ビデオ送信モジュール１３０１と、ビデオ受信モジュール１３０２とを含み、かつ、各モジュールの機能は、以下の通りである。
【０１７６】
ビデオ送信モジュール１３０１は、クラウドサーバが第１ビデオデータとサービスクライアントから取得された第２ビデオデータを合成してサービスオペレーションビデオデータを生成するように、前記クラウドサーバに前記第１ビデオデータを送信する。
【０１７７】
ビデオ受信モジュール１３０２は、前記ユーザクライアントが前記サービスオペレーションビデオデータに基づいて前記サービスクライアントとのサービスオペレーションを完成するように、前記クラウドサーバから送信された前記サービスオペレーションビデオデータを受信して提示する。
【０１７８】
いくつかの実施例では、前記処理装置１３００は、サービスプロバイダのプラットフォームから提供されたサービスオペレーションの入り口を提示する提示モジュールと、前記サービスオペレーションの入り口への選択オペレーションに応答して、前記ユーザクライアントのユーザログイン情報を携帯しているサービスオペレーション要求を前記サービスクライアントに送信する応答モジュールと、前記サービスクライアントが前記サービスオペレーション要求に応答して送信したビデオアップロード指示を受信する指示受信モジュールとをさらに含み、ここで、前記ビデオアップロード指示が受信された場合、前記ビデオ送信モジュール１３０１は、クラウドサーバに前記第１ビデオデータを送信する。
【０１７９】
いくつかの実施例では、前記処理装置１３００は、前記クラウドサーバが前記認可情報に基づいて前記ユーザクライアントがログインするアプリケーションサーバから前記ユーザクライアントのユーザログイン情報を取得するように、受信されたログイン認可命令に応答して、クラウドサーバに認可情報を送信する情報送信モジュールをさらに含み、ここで、前記ログイン認可が完了した後、前記応答モジュールは、前記サービスオペレーション要求を前記サービスクライアントに送信する。
【０１８０】
いくつかの実施例では、前記処理装置１３００は、前記サービスクライアントに取得要求を送信して、前記サービスクライアントが前記取得要求に応答して送信したサービスオペレーションの処理結果を受信する結果受信モジュールをさらに含む。
【０１８１】
サービスクライアント（例えば、Ｗｅｂバージョンのソーシャルアプリケーション）に適用されるメディアデータ処理方法１０００に対応して、本願は、また、サービスクライアント（例えば、Ｗｅｂバージョンのソーシャルアプリケーション）に適用されるメディアデータ処理装置１４００を提供し、前記処理装置１４００は、第１ユーザ（例えば、サービスプロバイダのエージェント）がログインを行う際に、サービスオペレーションプロセスを実行し、図１４に示すように、この処理装置１４００は、ビデオ送信モジュール１４０１と、ビデオ提示モジュール１４０２と、結果決定モジュール１４０３とを含み、かつ、各モジュールの機能は、以下の通りである。
【０１８２】
ビデオ送信モジュール１４０１は、前記クラウドサーバが前記第１ビデオデータとユーザクライアントから取得された第２ビデオデータを合成してサービスオペレーションビデオデータを生成するように、第１ビデオデータをクラウドサーバに送信する。
【０１８３】
ビデオ提示モジュール１４０２は、前記サービスクライアントが前記サービスオペレーションビデオデータに基づいて前記ユーザクライアントとのサービスオペレーションを完了するように、前記クラウドサーバから送信された前記サービスオペレーションビデオデータを受信して提示する。
【０１８４】
結果決定モジュール１４０３は、前記サービスオペレーションの処理結果を決定し、前記クラウドサーバに前記処理結果を送信する。
【０１８５】
いくつかの実施例では、前記処理装置１４００は、前記ユーザクライアントから送信された、前記ユーザクライアントのユーザログイン情報を携帯しているサービスオペレーション要求を受信する要求受信モジュールと、前記サービスオペレーション要求に応答して、ビデオアップロード指示を前記ユーザクライアントに送信する指示送信モジュールとをさらに含む。
【０１８６】
いくつかの実施例では、前記処理装置１４００は、前記クラウドサーバから送信された前記サービスオペレーションビデオデータの記憶情報を受信し、前記記憶情報をサービスプラットフォームに保存する記憶情報受信モジュールをさらに含む。
【０１８７】
いくつかの実施例では、前記処理装置１４００は、第２ユーザがログインを行う際に、サービスオペレーション監査プロセスを実行し、前記処理装置は、前記サービスプラットフォームから前記記憶情報を取得し、前記記憶情報を携帯しているアクセス要求を前記クラウドサーバに送信する記憶情報送信モジュールと、前記クラウドサーバが前記アクセス要求に応答して送信した前記サービスオペレーションビデオデータのリンクアドレスを受信するアドレス受信モジュールと、前記リンクアドレスに基づいて、前記サービスオペレーションビデオデータを取得して提示するビデオ取得モジュールと、前記サービスオペレーションビデオデータに対応するサービスオペレーションの監査結果を決定して前記サービスプラットフォームに保存する結果保存モジュールとを含む。
【０１８８】
いくつかの実施例では、前記アクセス要求には、前記サービスクライアントのユーザ情報が携帯され、前記サービスクライアントのユーザ情報がクラウドサーバの検証に合格した後、前記アドレス受信モジュールは、前記クラウドサーバが前記アクセス要求に応答して送信した前記サービスオペレーションビデオデータのリンクアドレスを受信するステップを実行し、ここで、前記サービスクライアントのユーザ情報には、サービスプロバイダのサービスプロバイダ識別子と、前記第２ユーザのアイデンティティ検証情報とが含まれる。
【０１８９】
いくつかの実施例では、前記処理装置１４００は、前記クラウドサーバが前記認可情報に基づいて前記サービスクライアントがログインするアプリケーションサーバから前記サービスクライアントのユーザログイン情報を取得するように、受信されたログイン認可命令に応答して、認可情報を前記クラウドサーバに送信する認可情報送信モジュールと、ログイン認可が完了した後、クラウドサーバにサービスクライアントのユーザ情報の取得要求を送信する要求送信モジュールと、前記クラウドサーバが前記取得要求に応答して送信したサービスクライアントのユーザ情報を受信するユーザ情報受信モジュールとをさらに含み、ここで、サービスクライアントのユーザ情報には、サービスプロバイダのサービスプロバイダ識別子と、サービスクライアントのユーザのアイデンティティ検証情報とが含まれる。
【０１９０】
クラウドサーバ１０３に適用されるメディアデータ処理装置１２００に対応して、本願は、また、クラウドサーバ１０３に適用されるメディアデータ処理システム１５００を提供し、図１５に示すように、この処理システム１５００は、ストリーム混合サーバ１５０１と、クラウドストレージサーバ１５０３とを含み、かつ、各サーバの機能は、以下の通りである。
【０１９１】
前記ストリーム混合サーバ１５０１は、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成する。
【０１９２】
前記ストリーム混合サーバ１５０１は、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信する。
【０１９３】
前記ストリーム混合サーバ１５０１は、前記第１サービスクライアントから前記サービスオペレーションの処理結果を取得し、前記処理結果がオペレーションが有効になることを示す場合、前記クラウドストレージサーバに前記サービスオペレーションビデオデータの記憶要求を送信する。
【０１９４】
クラウドストレージサーバ１５０３は、前記記憶要求に応答して、前記サービスオペレーションビデオデータを記憶し、記憶情報を生成して、前記記憶情報を前記ストリーム混合サーバに送信する。
【０１９５】
前記ストリーム混合サーバ１５０１は、前記第１サービスクライアントに前記サービスオペレーションビデオデータの前記記憶情報を送信する。
【０１９６】
前記クラウドストレージサーバ１５０３は、第２サービスクライアントから送信された、前記記憶情報を携帯しているアクセス要求を受信する。
【０１９７】
前記クラウドストレージサーバ１５０３は、前記第２サービスクライアントが前記サービスオペレーションビデオデータに基づいて前記サービスオペレーションに対する処理を完了するように、前記アクセス要求に応答して、前記記憶情報に基づいて前記サービスオペレーションビデオデータを取得して前記第２サービスクライアントに返信する。
【０１９８】
いくつかの実施例では、前記クラウドストレージサーバ１５０３は、ユーザクライアントから送信されたユーザ認可情報を受信し、前記クラウドストレージサーバ１５０３は、前記ユーザ認可情報に基づいて、前記ユーザクライアントのユーザログイン情報を取得し、前記第１サービスクライアントに前記ユーザクライアントのユーザログイン情報を送信し、前記第１サービスクライアントから送信された前記ユーザクライアントのユーザログイン情報が受信された場合、ストリーム混合サーバ１５０１は、前記ユーザクライアントが前記第１サービスクライアントとのサービスオペレーションを行うと判定する。
【０１９９】
いくつかの実施例では、前記ストリーム混合サーバ１５０１は、前記サービスオペレーションビデオデータを記憶する前に、前記第１サービスクライアントからユーザ情報を取得し、前記クラウドストレージサーバ１５０３は、前記サービスオペレーションビデオデータの、前記第１サービスクライアントのユーザ情報を携帯している記憶要求が受信された場合、前記第１サービスクライアントのユーザ情報を検証し、前記クラウドストレージサーバ１５０３は、前記第１サービスクライアントのユーザ情報が検証に合格した後、前記サービスオペレーションビデオデータを記憶し、前記サービスオペレーションビデオデータの記憶情報を決定し、ここで、前記第１サービスクライアントのユーザ情報には、第１サービスクライアントが所属するサービスプロバイダのサービスプロバイダ識別子と、第１サービスクライアントのユーザのアイデンティティ検証情報とが含まれる。
【０２００】
いくつかの実施例では、前記アクセス要求には、前記第２サービスクライアントのユーザ情報がさらに携帯され、ここで、前記クラウドストレージサーバ１５０３は、前記アクセス要求に応答して、前記第２サービスクライアントのユーザ情報を検証し、前記クラウドストレージサーバ１５０３は、前記第２サービスクライアントのユーザ情報が検証に合格した後、前記記憶情報に基づいて前記サービスオペレーションビデオデータを取得して前記第２サービスクライアントに返信することを実行し、ここで、前記第２サービスクライアントのユーザ情報には、前記第２サービスクライアントが所属するサービスプロバイダのサービスプロバイダ識別子と、第２サービスクライアントのユーザのアイデンティティ検証情報とが含まれる。
【０２０１】
いくつかの実施例では、前記処理システムは、管理制御サーバ１５０２をさらに含み、前記管理制御サーバ１５０２は、前記クラウドストレージサーバ１５０３において、サービスプロバイダのために、サービスプロバイダ識別子、前記第１サービスクライアントのユーザ識別子、および前記第１サービスクライアントのユーザのアイデンティティ検証情報を作成し、前記管理制御サーバ１５０２は、前記クラウドストレージサーバから送信された前記サービスプロバイダ識別子、前記第１サービスクライアントのユーザ識別子、および前記第１サービスクライアントのユーザのアイデンティティ検証情報を受信し、前記クラウドストレージサーバ１５０３は、前記第１サービスクライアントのユーザログイン情報が取得された場合、第１サービスクライアントのユーザログイン情報が取得されたことを示すメッセージを前記管理制御サーバ１５０２に送信し、前記管理制御サーバ１５０２は、前記第１サービスクライアントのユーザログイン情報が取得されたことを示すメッセージが受信された場合、前記サービスプロバイダ識別子と第１サービスクライアントのユーザ情報とを前記第１サービスクライアントに送信し、ここで、前記管理制御サーバ１５０２が前記第１サービスクライアントのユーザ情報を第１サービスクライアントに送信することを実行した後、前記ストリーム混合サーバは、前記第１サービスクライアントからユーザ情報を取得する。
【０２０２】
いくつかの実施例では、前記管理制御サーバ１５０２は、前記クラウドストレージサーバ１５０３において、サービスプロバイダのために、前記第２サービスクライアントのユーザ識別子、および前記第２サービスクライアントのユーザのアイデンティティ検証情報を作成し、前記管理制御サーバ１５０２は、前記クラウドストレージサーバ１５０３から送信された前記第２サービスクライアントのユーザ識別子、および前記第２サービスクライアントのユーザのアイデンティティ検証情報を受信し、前記クラウドストレージサーバ１５０３は、前記第２サービスクライアントのユーザログイン情報が取得された場合、第２サービスクライアントのユーザログイン情報が取得されたことを示すメッセージを前記管理制御サーバ１５０２に送信し、前記管理制御サーバ１５０２は、前記第２サービスクライアントのユーザログイン情報が取得されたことを示すメッセージが受信された場合、前記サービスプロバイダ識別子と第２サービスクライアントのユーザのアイデンティティ検証情報とを前記第２サービスクライアントに送信し、ここで、前記管理制御サーバ１５０２が前記サービスプロバイダ識別子と第２サービスクライアントのユーザのアイデンティティ検証情報を前記第２サービスクライアントに送信することを実行した後、前記クラウドストレージサーバ１５０３は、前記第２サービスクライアントから送信された、前記記憶情報を携帯しているアクセス要求を受信することを実行する。
【０２０３】
説明すべきものとして、上記ストリーム混合サーバ１５０１は、前述のストリーム混合サーバであってよく、上記管理制御サーバ１５０２は、前述の独立管理制御サーバであってよく、上記クラウドストレージサーバ１５０３は、前述のオブジェクトストレージＣＯＳサーバであってよい。
【０２０４】
クラウドサーバ１０３に適用されるメディアデータ処理システム１５００に対応して、本願は、また、クラウドサーバ１０３に適用されるサーバ１６００を提供し、図１６に示すように、このサーバ１６００は、ビデオ合成モジュール１６０１と、ビデオ送信モジュール１６０２と、記憶情報モジュール１６０３と、情報受信モジュール１６０４と、情報送信モジュール１６０５とを含み、かつ、各モジュールの機能は、以下のとおりである。
【０２０５】
ビデオ合成モジュール１６０１は、ユーザクライアントが第１サービスクライアントとのサービスオペレーションを行うと判定された場合、前記ユーザクライアントから第１ビデオデータを取得し、前記第１サービスクライアントから第２ビデオデータを取得し、前記第１ビデオデータと前記第２ビデオデータを合成してサービスオペレーションビデオデータを生成する。
【０２０６】
ビデオ送信モジュール１６０２は、前記第１サービスクライアントが前記サービスオペレーションビデオデータに基づいて前記ユーザクライアントとのサービスオペレーションを完了するように、前記サービスオペレーションビデオデータを前記ユーザクライアントと前記第１サービスクライアントに送信する。
【０２０７】
記憶情報モジュール１６０３は、前記第１サービスクライアントから前記サービスオペレーションの処理結果を取得し、前記処理結果がオペレーションが有効になることを示す場合、クラウドストレージサーバに前記サービスオペレーションビデオデータの記憶要求を送信する。
【０２０８】
情報受信モジュール１６０４は、前記クラウドストレージサーバが前記記憶要求に応答して送信した前記記憶情報を受信する。
【０２０９】
情報送信モジュール１６０５は、前記第２サービスクライアントが前記記憶情報に基づいてサービスオペレーションビデオデータを取得するように、前記サービスオペレーションビデオデータの前記記憶情報を前記第１サービスクライアントに送信する。
【０２１０】
クラウドサーバ１０３に適用されるメディアデータ処理システム１５００に対応して、本願は、また、クラウドサーバ１０３に適用されるサーバ１７００を提供し、図１７に示すように、サーバ１７００は、情報記憶モジュール１７０１と、要求送信モジュール１７０２と、ビデオ取得モジュール１７０３とを含み、かつ、各モジュールの機能は、以下の通りである。
【０２１１】
情報記憶モジュール１７０１は、前記ストリーム混合サーバから送信された記憶要求に応答して、前記サービスオペレーションビデオデータを記憶し、記憶情報を生成し、前記記憶情報を前記ストリーム混合サーバに送信する。
【０２１２】
要求送信モジュール１７０２は、サービスクライアントから送信された、前記記憶情報を携帯しているアクセス要求を受信する。
【０２１３】
ビデオ取得モジュール１７０３は、前記サービスクライアントが前記サービスオペレーションビデオデータに基づいて前記サービスオペレーションに対する処理を完了するように、前記アクセス要求に応答して、前記記憶情報に基づいて、前記サービスオペレーションビデオデータを取得して前記サービスクライアント（例えば、サービスプロバイダの監査役のＷｅｂバージョンのソーシャルアプリケーション）に返信する。
【０２１４】
図１８は、処理装置１２００、処理装置１３００、処理装置１４００、サーバ１６００またはサーバ１７００が所在するコンピューティングデバイス１８００の構成構造図を示している。このコンピューティングデバイス１８００は、クラウドサーバまたは端末デバイスであってもよい。図１８に示すように、このコンピューティングデバイスは、１つまたは複数のプロセッサ（ＣＰＵ）１８０２と、通信モジュール１８０４と、メモリ１８０６と、ユーザインターフェース１８１０と、これらのコンポーネントを相互接続するための通信バス１８０８とを含む。
【０２１５】
プロセッサ１８０２は、ネットワーク通信および／またはローカル通信を実現するように、通信モジュール１８０４を介してデータを受信および送信することができる。
【０２１６】
ユーザインターフェース１８１０は、１つまたは複数のスピーカおよび／または１つまたは複数の可視化ディスプレイを含む１つまたは複数の出力デバイス１８１２を含む。ユーザインターフェース１８１０は、たとえばキーボード、マウス、音声コマンド入力ユニットまたは拡声器、タッチスクリーンディスプレイ、タッチセンサー式入力パネル、姿勢キャプチャカメラまたは他の入力ボタンまたはコントロールなどを含む１つまたは複数の入力デバイス１８１４も含む。
【０２１７】
メモリ１８０６は、ＤＲＡＭ、ＳＲＡＭ、ＤＤＲ  ＲＡＭ、または他のランダムアクセス固体記憶デバイスのような高速ランダムアクセスメモリであってもよく、あるいは、１つまたは複数の磁気ディスク記憶デバイス、光ディスク記憶デバイス、フラッシュメモリデバイス、または他の不揮発性固体記憶デバイスのような不揮発性メモリであってもよい。
【０２１８】
メモリ１８０６は、プロセッサ１８０２が実行することができる命令セットを記憶し、
さまざまな基本システムサービスを処理し、ハードウェア関連のタスクを実行するためのプログラムを含むオペレーティングシステム１８１６と、
ビデオ再生用のさまざまなアプリケーションプログラムを含むアプリケーション１８１８とを含み、このようなアプリケーションプログラムは、上記各実施例における処理フローを実現することができ、例えば、図１２に示す処理装置１２００における一部または全部のモジュールを含んでもよいし、各モジュール１２０１〜１２０６のうちの少なくとも１つのモジュールは、機械実行可能な命令を記憶することができ、プロセッサ１８０２は、メモリ１８０６における各モジュール１２０１〜１２０６のうちの少なくとも１つのモジュールにおける機械実行可能な命令を実行することにより、上記各モジュール１２０１〜１２０６のうちの少なくとも１つのモジュールの機能をさらに実現することができる。
【０２１９】
このアプリケーションプログラムは、図１３に示す処理装置１３００における一部または全部のモジュールを含んでもよく、各モジュール１３０１〜１３０２のうちの少なくとも１つのモジュールは、機械実行可能な命令を記憶することができ、プロセッサ１８０２は、メモリ１８０６におけるモジュール１３０１〜１３０２のうちの少なくとも１つのモジュールにおける機械実行可能な命令を実行することにより、上記各モジュール１３０１〜１３０２のうちの少なくとも１つのモジュールの機能をさらに実現することができる。
【０２２０】
このアプリケーションプログラムは、図１４に示す処理装置１４００における一部または全部のモジュールを含んでもよく、各モジュール１４０１〜１４０３のうちの少なくとも１つのモジュールは、機械実行可能な命令を記憶することができ、プロセッサ１８０２は、メモリ１８０６におけるモジュール１４０１〜１４０３のうちの少なくとも１つのモジュールにおける機械実行可能な命令を実行することにより、上記各モジュール１４０１〜１４０３のうちの少なくとも１つのモジュールの機能をさらに実現することができる。
【０２２１】
あるいは、このアプリケーションプログラムは、図１６に示すサーバ１６００における一部または全部のモジュールを含んでもよく、各モジュール１６０１〜１６０５のうちの少なくとも１つのモジュールは、機械実行可能な命令を記憶することができ、プロセッサ１８０２は、メモリ１８０６におけるモジュール１６０１〜１６０５のうちの少なくとも１つのモジュールにおける機械実行可能な命令を実行することにより、さらに上記各モジュール１６０１〜１６０５のうちの少なくとも１つのモジュールの機能をさらに実現することができる。
【０２２２】
あるいは、このアプリケーションプログラムは、図１７に示すサーバ１７００における一部または全部のモジュールを含んでもよく、各モジュール１７０１〜１７０３のうちの少なくとも１つのモジュールは、機械実行可能な命令を記憶することができ、プロセッサ１８０２は、メモリ１８０６におけるモジュール１７０１〜１７０３のうちの少なくとも１つのモジュールにおける機械実行可能な命令を実行することにより、さらに上記各モジュール１７０１〜１７０３のうちの少なくとも１つのモジュールの機能をさらに実現することができる。説明すべきものとして、上記各フローおよび各構成図には、すべてのステップやモジュールが必要なわけではなく、実際のニーズに応じて、いくつかのステップやモジュールが無視されてもよい。各ステップの実行順序は固定されておらず、必要に応じて調整することができる。各モジュールの区分は、採用された機能上の区分を説明しやすくするためだけに、実際に実現される場合、１つのモジュールは複数のモジュールに分けて実現されてもよく、複数のモジュールの機能は同一のモジュールによって実現されてもよいし、これらのモジュールは同一のデバイスにあってもよく、異なるデバイスにあってもよい。
【０２２３】
各実施例におけるハードウェアモジュールは、ハードウェア方式またはハードウェアプラットフォームにソフトウェアを加えた方式で実装されてもよい。上記ソフトウェアは、不揮発性記憶媒体に記憶される機械読み取り可能な命令を含む。したがって、各実施例は、ソフトウェア製品としても具現化され得る。
【０２２４】
各実施例では、ハードウェアは、専用のハードウェアまたは機械読み取り可能な命令を実行するハードウェアによって実現されてもよい。例えば、ハードウェアは、特定のオペレーションを完了するための、専門的に設計された永久回路または論理デバイス（専用プロセッサ、例えばＦＰＧＡまたはＡＳＩＣ）であってよい。ハードウェアは、特定のオペレーションを実行するための、ソフトウェアによって一時的に構成されたプログラマブル論理デバイスまたは回路（例えば、汎用プロセッサまたは他のプログラマブルプロセッサを含む）を含むようにしてもよい。
【０２２５】
また、本発明の各実施例は、コンピュータによって実行されるデータ処理プログラムなどのデータ処理デバイスによって実現されてもよい。明らかに、データ処理プログラムは本願を構成している。また、通常、１つの記憶媒体に記憶されているデータ処理プログラムは、直接に記憶媒体からプログラムを読み取ること、あるいは、データ処理デバイスの記憶デバイス（たとえばハードディスクやメモリ）にプログラムをインストールしたりコピーしたりすることによって実行される。したがって、このような記憶媒体も本願を構成しており、また、本願は、本願の上記方法の実施例のいずれかを実行するためのデータ処理プログラムが記憶される不揮発性記憶媒体も提供する。
【０２２６】
図１２〜図１４、図１６、および図１７におけるモジュールに対応する機械読み取り可能な命令は、コンピュータで動作するオペレーティングシステムなどに、ここで説明した部分または全部のオペレーションを完了させることができる。不揮発性コンピュータ読み取り可能な記憶媒体は、コンピュータ内に挿入された拡張ボードに設置されたメモリであってもよく、または、コンピュータに接続された拡張ユニットに設置されたメモリであってもよい。拡張ボードや拡張ユニットに取り付けられたＣＰＵなどは、命令に従って一部または全部の実際のオペレーションを実行することができる。
【０２２７】
また、本願の各実施例における装置および各モジュールは、１つの処理ユニットに統合されてもよく、各モジュールが個別に物理的に存在してもよく、２つ以上の装置またはモジュールが１つのユニットに統合されてもよい。上記の統合されたユニットは、ハードウェアの形式で実現されてもよく、ソフトウェア機能ユニットの形式で実現されてもよい。
【０２２８】
上記は、本発明を限定するものではなく本発明の好ましい実施例に過ぎない。本発明の精神及び原則内でなされたいかなる修正、均等置換、改善などは、本発明の保護の範囲内に含まれるものとする。
【図１】
0006893281.tif 000002
【図２】
0006893281.tif 000003
【図３】
0006893281.tif 000004
【図４】
0006893281.tif 000005
【図５】
0006893281.tif 000006
【図６】
0006893281.tif 000007
【図７】
0006893281.tif 000008
【図８】
0006893281.tif 000009
【図９】
0006893281.tif 000010
【図１０】
0006893281.tif 000011
【図１１】
0006893281.tif 000012
【図１２】
0006893281.tif 000013
【図１３】
0006893281.tif 000014
【図１４】
0006893281.tif 000015
【図１５】
0006893281.tif 000016
【図１６】
0006893281.tif 000017
【図１７】
0006893281.tif 000018
【図１８】
0006893281.tif 000019